(57)【特許請求の範囲】
【請求項１】
輻輳したネットワークにおいて拡張サービス要求メッセージを送信するための、無線送信／受信ユニット（ＷＴＲＵ）において実施される方法であって、
タイマー値を含むメッセージを受信するステップと、
前記タイマー値に基づいて、前記ＷＴＲＵのタイマーを設定するステップと、
前記タイマーをアクティブ化するステップであって、前記ＷＴＲＵは、緊急コールに対するモバイル発信（ＭＯ）回線交換（ＣＳ）フォールバックを除き、前記タイマーが満了するまで、ＭＯサービスに対する拡張サービス要求メッセージを、ネットワークへ送信することを試みないように構成されている、ステップと
を備えたことを特徴とする方法。
【請求項２】
前記拡張サービス要求メッセージは、拡張ＣＳサービス要求メッセージであることを特徴とする請求項１に記載の方法。
【請求項３】
前記受信されたメッセージは、ＣＳサービスが、前記タイマー値によって示される時間の間は一時的に利用できないことを示す、進化型パケットシステムモビリティ管理（ＥＭＭ）原因コードをさらに含んでいることを特徴とする請求項１に記載の方法。
【請求項４】
無線送信／受信ユニット（ＷＴＲＵ）であって、
タイマーと、
タイマー値を含むメッセージを受信するように構成された受信機と、
前記タイマー値に基づいて前記タイマーを設定し、および、前記タイマーをアクティブ化するように構成されたプロセッサであって、前記プロセッサは、緊急コールに対するモバイル発信（ＭＯ）回線交換（ＣＳ）フォールバックを除き、前記タイマーが満了するまで、前記ＷＴＲＵが、ＭＯサービスに対する拡張サービス要求メッセージをネットワークへ送信することを止める、プロセッサと
を備えたことを特徴とするＷＴＲＵ。
【請求項５】
前記受信されたメッセージは、ＣＳサービスが、前記タイマー値によって示される時間の間は一時的に利用できないことを示す、進化型パケットシステムモビリティ管理（ＥＭＭ）原因コードをさらに含んでいることを特徴とする請求項４に記載のＷＴＲＵ。
【発明の詳細な説明】
【技術分野】
【０００１】
本出願は、無線通信に関する。
【背景技術】
【０００２】
本出願は、参照により内容を本願に援用する、２０１０年６月７日に出願した米国特許仮出願第６１／３５２０９６号明細書、２０１０年６月１５日に出願した米国特許仮出願第６１／３５４９７９号明細書、２０１０年６月２８日に出願した米国特許仮出願第６１／３５９０６３号明細書、および２０１１年５月９日に出願した米国特許仮出願第６１／４８４１１５号明細書の利益を主張するものである。
【０００３】
無線送信／受信ユニット（ＷＴＲＵ）がＥ−ＵＴＲＡＮ（evolved universal terrestrial radio access network）によりサービスを提供される場合、ＥＰＳ（evolved packet system）における回線交換（ＣＳ）フォールバック（ＣＳＦＢ：circuit switched fallback）は、音声およびその他のＣＳドメインサービスのプロビジョニング（provisioning）を可能にする。図１Ａは、ＣＳＦＢ対応のＷＴＲＵ１０５、Ｅ−ＵＴＲＡＮ１１０、モビリティマネジメントエンティティ（ＭＭＥ：mobility management entity）１１５、移動通信交換局（ＭＳＣ：mobile switching center）／ＶＬＲ（visitor location register）１２０、（ＧＳＭ（登録商標））／ＧＥＲＡＮ（enhanced data rates for GSM evolution（EDGE））１２５、ＵＴＲＡＮ１３０、およびＧＰＲＳ（general packet radio service）サポートノード（ＳＧＳＮ）１３５を含む従来のＥＰＳアーキテクチャ１００を示す。ＷＴＲＵ１０５は、少なくとも１つのタイマー１４０を含むことができる。ＭＭＥ１１５は、ＳＧインターフェイス１４５を介して、ＭＳＣ／ＶＬＲ１２０と通信する。ショートメッセージサービス（ＳＭＳ）のような、ＣＳＦＢおよびインターネットプロトコル（ＩＰ）マルチメディアサブシステム（ＩＭＳ：Internet Protocol Multimedia Subsystem）ベースのサービスは、従来のＥＰＳアーキテクチャ１００で共存することができる。ＣＳＦＢ対応のＷＴＲＵ１０５は、ＩＭＳ音声サービスを提供するため、ＧＥＲＡＮ１３０またはＵＴＲＡＮ１２５を使用してＣＳドメインに接続し、Ｅ−ＵＴＲＡＮ１１０を使用してパケット交換（ＰＳ）ドメイン（たとえば、ＬＴＥ（ロングタームエボリューション）ネットワーク）に接続することができる。図１Ａの従来のＥＰＳアーキテクチャ１００は、ＷＴＲＵ１０５がＰＳドメインを使用して、ＳＭＳのようなＣＳサービスを受信し、ＣＳコールを発信することを可能にする。しかし、ＣＳ音声および位置情報サービスのようなその他のサービスでは、ＣＳドメインが音声または位置情報サービスデータの実際の交換を目的として使用されることが必要となる。ＷＴＲＵ１０５がＰＳおよびＣＳドメインのいずれともアクセスするために、ＷＴＲＵ１０５は、結合型ＥＰＳ／ＩＭＳＩ（国際移動体加入者識別情報：international mobile subscriber identity）登録プロシージャを実行する。
【０００４】
図１Ｂは、図１Ａの従来のＥＰＳアーキテクチャ１００において実行されるＣＳＦＢコール確立プロシージャのシグナルフロー図である。アタッチメッセージまたはトラッキングエリアアップデート（ＴＡＵ：tracking area update）メッセージの送信後に、ＷＴＲＵ１０５がＰＳおよびＣＳドメインの両方に登録されるときに、ＷＴＲＵ１０５は結合型ＥＰＳ／ＩＭＳＩアタッチド（combined EPS/IMSI attached）であってもよい（１５０）。ＷＴＲＵ１０５は、モバイル発信（ＭＯ：mobile originated）ＣＳＦＢ拡張サービス要求（ＥＳＲ：extended service request）メッセージをＭＭＥ１１５に送信し（１５５）、ＷＴＲＵ１０５のタイマー１４０（すなわちＴ３４１７ｅｘｔ）をアクティブ化することにより（１６０）、ＣＳＦＢ要求プロシージャを開始することができる。タイマー１４０は、ＣＳＦＢ要求プロシージャを実施するために、所定の時間（たとえば、１０秒）に設定されてもよい。ＣＳＦＢ要求プロシージャが成功する場合、タイマー１４０は、満了前に非アクティブ化される（たとえば、ゼロの値に設定される）（１６２）。それ以外の場合、ＷＴＲＵは、ＣＳＦＢ要求プロシージャがアボートされるという条件で、タイマー１４０が満了するのを待つ（１６４）。図１ＢのＣＳＦＢコール確立プロシージャによる問題は、ＣＳＦＢ要求プロシージャの失敗が判明するのを待つことのＷＴＲＵ１０５が浪費しなければならない時間が許容しがたいことである。ＣＳＦＢ要求プロシージャが失敗した場合、ＷＴＲＵ１０５のユーザは、結局、別のＥＳＲメッセージを送信するか（１６６）、または代替の措置をとらなければならないことになり、時間を浪費することになる。
【０００５】
図１Ｃは、従来のＥＰＳアーキテクチャ１００において実行されるＣＳＦＢコール確立プロシージャのシグナルフロー図であり、ＣＳドメインへのアクセスが、輻輳またはオペレータポリシーの実施により一時的に制限される。アタッチまたはＴＡＵメッセージの送信後に、ＷＴＲＵ１０５がＰＳおよびＣＳドメインの両方に登録されるときに、ＷＴＲＵ１０５は結合型ＥＰＳ／ＩＭＳＩアタッチドである（１７０）。ＷＴＲＵ１０５は、ＭＯ−ＣＳＦＢ−ＥＳＲメッセージ（１７５）をＭＭＥ１１５に送信することにより、ＣＳＦＢ要求プロシージャを開始することができる。ＣＳドメインへのアクセスが一時的に制限されているため、ＭＭＥ１１５は、原因値（たとえば、＃３９）を使用して、サービス拒否メッセージでタイマー値により定義されるように、ＣＳドメインが所定の期間にわたり一時的に使用不可能になることを指示するために、サービス拒否メッセージ（１８０）をＷＴＲＵ１０５に送信することができる。ＷＴＲＵ１０５のタイマー１４０（すなわち、Ｔ３４４２）は、サービス拒否メッセージに含まれているタイマー値に設定され、アクティブ化されてもよい（１８２）。ＷＴＲＵ１０５は、別のＥＳＲメッセージを送信できるようにする前に、タイマー１４０が満了するのを待つ必要がある（１８４）。
【０００６】
しかし、図１Ｄに示されているように、ＭＳＣ／ＶＬＲ１２０は、ＷＴＲＵ１０５に対するモバイル着信（ＭＴ）コール要求を受信し、ＷＴＲＵ１０５に通知するようにＭＭＥ１１５に要求することができる。ＭＭＥ１１５は、ページング要求をＥ−ＵＴＲＡＮ１１０に送信して（１９０）、ＭＴ−ＣＳコールのためにＷＴＲＵ１０５にページングすることができる（１９２）。ＷＴＲＵ１０５は、ＭＴ−ＣＳＦＢコールのためにＥＳＲメッセージによりページングに応答することができる（１９４）。しかし、タイマー１４０は、タイマーが満了するまで実行を継続するので、もはや該当していない場合であっても、ＣＳドメインが輻輳していることを指示する。次いで、ＭＭＥ１１５は、リダイレクション／ハンドオーバー情報（たとえば、ターゲットセルのパラメータ）をＷＴＲＵ１０５に送信することができる（１９６）。
【０００７】
図１Ｂ、図１Ｃ、および図１ＤのＣＳＦＢコール確立プロシージャによる問題は、ＣＳドメインが輻輳しているときに、ＣＳＦＢ緊急コールの取り扱いを迅速に処理するためのプロビジョニングが存在しないことである。
【発明の概要】
【課題を解決するための手段】
【０００８】
輻輳するネットワークにおいて回線交換（ＣＳ）サービス要求メッセージを送信するための方法および装置が説明される。１つの実施形態において、タイマー値を含むサービス拒否メッセージは、タイマー値に基づいて設定されるタイマーを有する無線送信／受信ユニット（ＷＴＲＵ）によって受信されてもよい。タイマーがアクティブ化されると、ＷＴＲＵは、タイマーが満了するまで、緊急コールのためのモバイル発信（ＭＯ）ＣＳフォールバックの場合を除き、拡張サービス要求（ＥＳＲ）メッセージを、ＭＯサービスのためにネットワークに送信しようと試みてはならない。別の実施形態において、タイマーは、モバイル着信（ＭＴ）ＣＳコールのためのページングを受信したことに応答して、非アクティブ化されてもよい。輻輳したネットワークは、モビリティ管理エンティティ（ＭＭＥ）、および移動通信交換局（ＭＳＣ）／ＶＬＲ（visitor location register）を含むことができる。ＭＭＥは、ＭＭＥのタイマーがアクティブ化されているかまたは満了しているかどうかに基づいて、輻輳制御基準をＷＴＲＵに適用することができる。
【図面の簡単な説明】
【０００９】
さらに詳細な理解は、添付の図面と併せて一例として示した以下の説明から得ることができる。
【００１０】
【図１Ａ】従来のＥＰＳアーキテクチャ１００を示す図である。
【図１Ｂ】図１ＡのＥＰＳアーキテクチャにおいて実行される従来のＣＳＦＢコール確立プロシージャを示すシグナルフロー図である。
【図１Ｃ】図１ＡのＥＰＳアーキテクチャにおいて実行される従来のＣＳＦＢコール確立プロシージャを示すシグナルフロー図である。
【図１Ｄ】図１ＡのＥＰＳアーキテクチャにおいて実行される従来のＣＳＦＢコール確立プロシージャを示すシグナルフロー図である。
【図２Ａ】１つまたは複数の開示される実施形態が実施されうる例示的な通信システムを示す図である。
【図２Ｂ】図２Ａに示される通信システム内で使用されうる例示的な無線送信／受信ユニット（ＷＴＲＵ）を示す図である。
【図２Ｃ】図２Ａに示される通信システム内で使用されうる例示的な無線アクセスネットワークおよび例示的なコアネットワークを示す図である。
【図３】１つの実施形態によるＣＳＦＢコール確立プロシージャを示すシグナルフロー図である。
【図４】１つの実施形態によるＣＳＦＢコール確立プロシージャを示すシグナルフロー図である。
【図５】１つの実施形態によるＣＳＦＢコール確立プロシージャを示すシグナルフロー図である。
【図６】図３から図５のプロシージャに準じて構成されたＷＴＲＵを示すブロック図である。
【図７】図３から図５のプロシージャに準じて構成されたＭＭＥを示すブロック図である。
【図８】図３から図５のプロシージャに準じて構成されたＭＳＣ／ＶＬＲを示すブロック図である。
【発明を実施するための形態】
【００１１】
図２Ａは、１つまたは複数の開示される実施形態が実施されうる例示的な通信システム２００を示す。通信システム２００は、音声、データ、ビデオ、メッセージング、およびブロードキャストなどのコンテンツを、複数の無線ユーザに提供する多元接続システムであってもよい。通信システム２００は、複数の無線ユーザが、無線帯域幅を含むシステムリソースの共用を通じて、そのようなコンテンツへのアクセスを可能にする。たとえば、通信システム２００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの、１つまたは複数のチャネルアクセス方式を採用することができる。
【００１２】
図２Ａにおいて示されるように、通信システム２００は、ＷＴＲＵ２０２ａ、２０２ｂ、２０２ｃ、および２０２ｄ、無線アクセスネットワーク（ＲＡＮ）２０４、コアネットワーク２０６、公衆交換電話網（ＰＳＴＮ）２０８、インターネット２１０、ならびにその他のネットワーク２１２を含むことができるが、開示される実施形態は任意の数のＷＴＲＵ、基地局、ネットワーク、および／またはネットワーク要素を考慮することが理解されるであろう。ＷＴＲＵ２０２ａ、２０２ｂ、２０２ｃ、および２０２ｄの各々は、無線環境において動作および／または通信するように構成された任意のタイプのデバイスであってもよい。一例として、ＷＴＲＵ２０２ａ、２０２ｂ、２０２ｃ、および２０２ｄは、無線信号を送信および／または受信するように構成されてもよく、ユーザ機器（ＵＥ）、移動局、固定または移動加入者ユニット、ページャー、携帯電話、携帯情報端末（ＰＤＡ）、スマートフォン、ラップトップ、ネットブック、パーソナルコンピュータ、無線センサー、および家庭用電化製品などを含むことができる。
【００１３】
通信システム２００はまた、基地局２１４ａおよび基地局２１４ｂを含むこともできる。基地局２１４ａおよび２１４ｂの各々は、コアネットワーク２０６、インターネット２１０、および／またはその他のネットワーク２１２などの１つまたは複数の通信ネットワークへのアクセスを円滑にするために、ＷＴＲＵ２０２ａ、２０２ｂ、２０２ｃ、および２０２ｄのうちの少なくとも１つと無線でインターフェイスをとるように構成された任意のタイプのデバイスであってもよい。一例として、基地局２１４ａおよび２１４ｂは、無線基地局装置（ＢＴＳ）、ＮｏｄｅＢ、ｅｖｏｌｖｅｄ−ＮｏｄｅＢ（ｅＮＢ）、Ｈｏｍｅ−ＮｏｄｅＢ（ＨＮＢ）、Ｈｏｍｅ−ｅＮＢ（ＨｅＮＢ）、サイトコントローラ、アクセスポイント（ＡＰ）、および無線ルータなどであってもよい。基地局２１４ａおよび２１４ｂは、各々が単一の要素として示されるが、基地局２１４ａおよび２１４ｂは、任意の数の相互接続された基地局および／またはネットワーク要素を含むことができることを理解されたい。
【００１４】
基地局２１４ａはＲＡＮ２０４の一部であってもよく、ＲＡＮ２０４はまた、基地局コントローラ（ＢＳＣ）、無線ネットワークコントローラ（ＲＮＣ）、およびリレーノードなどの、その他の基地局および／またはネットワーク要素（図示せず）を含むこともできる。基地局２１４ａおよび／または基地局２１４ｂは、セル（図示せず）と称され得る特定の地理的領域内で、無線信号を送信および／または受信するように構成されてもよい。セルは、セルセクタにさらに分割されてもよい。たとえば、基地局２１４ａに関連付けられるセルは、３つのセクタに分割されてもよい。したがって、１つの実施形態において、基地局２１４ａは、３つの送受信機、すなわちセルのセクタごとに１つの送受信機を含むことができる。別の実施形態において、基地局２１４ａは、ＭＩＭＯ（multiple-input multiple-output）技術を採用することができるので、セルの各セクタに対して複数の送受信機を使用することができる。
【００１５】
基地局２１４ａおよび２１４ｂは、エアインターフェイス２１６上で、ＷＴＲＵ２０２ａ、２０２ｂ、２０２ｃ、および２０２ｄのうちの１つまたは複数と通信することができ、エアインターフェイス２１６は（たとえば、無線周波数（ＲＦ）、マイクロ波、赤外線（ＩＲ）、紫外線（ＵＶ）、可視光線など）任意の適切な無線通信リンクであってもよい。エアインターフェイス２１６は、任意の適切な無線アクセス技術（ＲＡＴ）を使用して確立されてもよい。
【００１６】
さらに具体的には、前述のように、通信システム２００は、多元接続システムであってもよく、ＣＤＭＡ、ＴＤＭＡ、ＦＤＭＡ、ＯＦＤＭＡ、およびＳＣ−ＦＤＭＡなどの、１つまたは複数のチャネルアクセススキームを採用することができる。たとえば、ＲＡＮ２０４における基地局２１４ａ、ならびにＷＴＲＵ２０２ａ、２０２ｂ、および２０２ｃは、広帯域ＣＤＭＡ（ＷＣＤＭＡ（登録商標））を使用して、エアインターフェイス２１６を確立することができるＵＴＲＡ（universal mobile telecommunications system（UMTS）terrestrial radio access）のような無線技術を実施することができる。ＷＣＤＭＡは、ＨＳＰＡ（high-speed packet access）および／またはＨＳＰＡ＋（evolved HSPA）などの通信プロトコルを含むことができる。ＨＳＰＡは、ＨＳＤＰＡ（high-speed downlink packet access）および／またはＨＳＵＰＡ（high-speed uplink packet access）を含むことができる。
【００１７】
別の実施形態において、基地局２１４ａならびにＷＴＲＵ２０２ａ、２０２ｂ、および２０２ｃは、ロングタームエボリューション（ＬＴＥ）および／またはＬＴＥ−Ａｄｖａｎｄｅｄ（ＬＴＥ−Ａ）を使用して、エアインターフェイス２１６を確立することができるＥ−ＵＴＲＡ（evolved UTRA）のような無線技術を実施することができる。
【００１８】
別の実施形態において、基地局２１４ａならびにＷＴＲＵ２０２ａ、２０２ｂ、および２０２ｃは、ＩＥＥＥ８０２．１６（すなわち、ＷｉＭＡＸ（worldwide interoperability for microwave access））、ＣＤＭＡ２０００、ＣＤＭＡ２０００−１Ｘ、ＣＤＭＡ２０００−ＥＶ−ＤＯ（evolution-data optimized）、ＩＳ−２０００（Interim Standard 2000）、ＩＳ−９５（Interim Standard 95）、ＩＳ−８５６（Interim Standard 856）、ＧＳＭ（global system for mobile communications：登録商標）、ＥＤＧＥ（enhanced data rates for GSM evolution）、およびＧＥＲＡＮ（GSM/EDGE RAN）などの無線技術を実施することができる。
【００１９】
図２Ａの基地局２１４ｂは、たとえば、無線ルータ、ＨＮＢ、ＨｅＮＢ、またはＡＰであってもよく、事業所、家庭、車両、キャンパスなどのような、局在的な領域において無線接続を円滑にするための任意の適切なＲＡＴを使用することができる。１つの実施形態において、基地局２１４ｂならびにＷＴＲＵ２０２ｃ、および２０２ｄは、無線ローカルエリアネットワーク（ＷＬＡＮ）を確立するためにＩＥＥＥ８０２．１１のような無線技術を実施することができる。別の実施形態において、基地局２１４ｂならびにＷＴＲＵ２０２ｃ、および２０２ｄは、無線パーソナルエリアネットワーク（ＷＰＡＮ）を確立するためにＩＥＥＥ８０２．１５のような無線技術を実施することができる。さらに別の実施形態において、基地局２１４ｂならびにＷＴＲＵ２０２ｃ、および２０２ｄは、セルラーベースのＲＡＴ（たとえば、ＷＣＤＭＡ、ＣＤＭＡ２０００、ＧＳＭ、ＬＴＥ、およびＬＴＥ−Ａなど）を使用して、ピコセルまたはフェムトセルを確立することができる。図２Ａにおいて示されるように、基地局２１４ｂは、インターネット２１０に直接接続することができる。したがって、基地局２１４ｂが、コアネットワーク２０６を介してインターネット２１０にアクセスする必要がない。
【００２０】
ＲＡＮ２０４は、コアネットワーク２０６と通信することができ、コアネットワーク２０６は音声、データ、アプリケーション、および／またはＶｏＩＰ（voice over Internet protocol）サービスをＷＴＲＵ２０２ａ、２０２ｂ、２０２ｃ、および２０２ｄのうちの１つまたは複数に提供するように構成された任意のタイプのネットワークであってもよい。たとえば、コアネットワーク２０６は、コール制御、課金サービス、モバイルロケーションベースのサービス、プリペイドコール、インターネット接続、およびビデオ配信などを提供すること、および／またはユーザ認証のような高水準のセキュリティを実行することができる。図２Ａにおいて示されていないが、ＲＡＮ２０４および／またはコアネットワーク２０６は、ＲＡＮ２０４と同一のＲＡＴまたは異なるＲＡＴを採用するその他のＲＡＮと直接または間接的に通信できることが理解されよう。たとえば、Ｅ−ＵＴＲＡ無線技術を使用しているＲＡＮ２０４に接続されることに加えて、コアネットワーク２０６はまた、ＧＳＭ無線技術を採用する別のＲＡＮ（図示せず）と通信することもできる。
【００２１】
コアネットワーク２０６はまた、ＰＳＴＮ２０８、インターネット２１０、および／またはその他のネットワーク２１２にアクセスするためのＷＴＲＵ２０２ａ、２０２ｂ、２０２ｃ、および２０２ｄのゲートウェイとしての役割を果たすこともできる。ＰＳＴＮ２０８は、従来のアナログ電話回線サービス（ＰＯＴＳ）を提供する回線交換電話ネットワークを含むことができる。インターネット２１０は、ＴＣＰ／ＩＰ群の伝送制御プロトコル（ＴＣＰ）、ユーザデータグラムプロトコル（ＵＤＰ）、およびインターネットプロトコル（ＩＰ）など、共通の通信プロトコルを使用する相互接続されたコンピュータネットワーク、およびデバイスのグローバルシステムを含むことができる。ネットワーク２１２は、その他のサービスプロバイダによって所有および／または運用される有線または無線の通信ネットワークを含むことができる。たとえば、ネットワーク２１２は、ＲＡＮ２０４と同一のＲＡＴまたは異なるＲＡＴを採用することができる、１つまたは複数のＲＡＮに接続された別のコアネットワークを含むことができる。
【００２２】
通信システム２００におけるＷＴＲＵ２０２ａ、２０２ｂ、２０２ｃ、および２０２ｄの一部または全ては、マルチモードケイパビリティ（capability）を含むことができる、すなわち、ＷＴＲＵ２０２ａ、２０２ｂ、２０２ｃ、および２０２ｄは、異なる無線リンク上で、異なる無線ネットワークと通信するための複数の送受信機を含むことができる。たとえば、図２Ａに示されるＷＴＲＵ２０２ｃは、セルラーベースの無線技術を採用することができる基地局２１４ａ、およびＩＥＥＥ８０２無線技術を採用することができる基地局２１４ｂと通信するように構成されてもよい。
【００２３】
図２Ｂは、図２Ａに示される通信システム２００内で使用されうる例示的なＷＴＲＵ２０２を示す。図２Ｂにおいて示されるように、ＷＴＲＵ２０２は、プロセッサ２１８、送受信機２２０、送信／受信要素（たとえば、アンテナ）２２２、スピーカ／マイクロフォン２２４、キーパッド２２６、ディスプレイ／タッチパッド２２８、着脱不能メモリ２３０、着脱可能メモリ２３２、電源２３４、全地球測位システム（ＧＰＳ）チップセット２３６、および周辺機器２３８を含むことができる。実施形態との整合性を維持しながらＷＴＲＵ２０２が、前述の要素の任意のサブコンビネーションを含むことができることが理解されよう。
【００２４】
プロセッサ２１８は、汎用プロセッサ、特殊用途プロセッサ、従来型プロセッサ、デジタル信号プロセッサ（ＤＳＰ）、マイクロプロセッサ、ＤＳＰコアと関連する１つまたは複数のマイクロプロセッサ、コントローラ、マイクロコントローラ、特殊用途向け集積回路（ＡＳＩＣ）、フィールドプログラマブルゲートアレイ（ＦＰＧＡ）回路、集積回路（ＩＣ）、および状態機械などであってもよい。プロセッサ２１８は、信号符号化、データ処理、電力制御、入出力処理、および／またはＷＴＲＵ２０２が無線環境で動作することを可能にする任意のその他の機能を実行することができる。プロセッサ２１８は、送信／受信要素２２２に結合されうる送受信機２２０に結合されてもよい。図２Ｂはプロセッサ２１８および送受信機２２０を別個のコンポーネントとして示すが、プロセッサ２１８および送受信機２２０は電子パッケージまたはチップに統合されてもよい。
【００２５】
送信／受信要素２２２は、エアインターフェイス２１６上で基地局（たとえば、基地局２１４ａ）に信号を送信するか、または基地局から信号を受信するように構成されてもよい。たとえば、１つの実施形態において、送信／受信要素２２２は、ＲＦ信号を送信および／または受信するように構成されたアンテナであってもよい。別の実施形態において、送信／受信要素２２２は、たとえば、ＩＲ、ＵＶ、または可視光信号を送信および／または受信するように構成されたエミッタ／ディテクタであってもよい。さらに別の実施形態において、送信／受信要素２２２は、ＲＦ信号および光信号を送信および受信するように構成されてもよい。送信／受信要素２２２は、無線信号の任意の組み合わせを送信および／または受信するように構成されてもよい。
【００２６】
加えて、図２Ｂにおいて、送信／受信要素２２２は単一の要素として示されるが、ＷＴＲＵ２０２は任意の数の送信／受信要素２２２を含むことができる。さらに具体的には、ＷＴＲＵ２０２は、ＭＩＭＯ技術を採用することができる。したがって、１つの実施形態において、ＷＴＲＵ２０２は、エアインターフェイス２１６上で無線信号を送信および受信するために、２つまたはそれ以上の送信／受信要素２２２（たとえば、複数のアンテナ）を含むことができる。
【００２７】
送受信機２２０は、送信／受信要素２２２によって送信されるべき信号を変調し、送信／受信要素２２２によって受信される信号を復調するように構成されてもよい。前述したように、ＷＴＲＵ２０２は、マルチモードケイパビリティを有することができる。したがって、送受信機２２０は、ＷＴＲＵ２０２が、たとえばＵＴＲＡおよびＩＥＥＥ８０２．１１のような複数のＲＡＴを介して通信できるようにするための複数の送受信機を含むことができる。
【００２８】
ＷＴＲＵ２０２のプロセッサ２１８は、スピーカ／マイクロフォン２２４、キーパッド２２６、および／またはディスプレイ／タッチパッド２２８（たとえば、液晶ディスプレイ（ＬＣＤ）表示ユニット、または有機発光ダイオード（ＯＬＥＤ）表示ユニット）に結合されてもよく、これらの機器からユーザ入力データを受信することができる。プロセッサ２１８はまた、スピーカ／マイクロフォン２２４、キーパッド２２６、および／またはディスプレイ／タッチパッド２２８にユーザデータを出力することもできる。加えて、プロセッサ２１８は、着脱不能メモリ２３０および／または着脱可能メモリ２３２などの、任意のタイプの適切なメモリから情報にアクセスし、それらのメモリにデータを格納することができる。着脱不能メモリ２３０は、ランダムアクセスメモリ（ＲＡＭ）、リードオンリメモリメモリ（ＲＯＭ）、ハードディスク、または任意のタイプのメモリストレージデバイスを含むことができる。着脱可能メモリ２３２は、加入者識別モジュール（ＳＩＭ）カード、メモリスティック、セキュアデジタル（ＳＤ）メモリなどを含むことができる。その他の実施形態において、プロセッサ２１８は、サーバ上、またはホームコンピュータ（図示せず）上のような、ＷＴＲＵ２０２に物理的に位置していないメモリから情報にアクセスし、それらのメモリにデータを格納することができる。
【００２９】
プロセッサ２１８は、電源２３４から電力を受信することができ、ＷＴＲＵ２０２におけるその他のコンポーネントへの電力の配電および／または制御を行うように構成されてもよい。電源２３４は、ＷＴＲＵ２０２に電力を供給するための任意の適切なデバイスであってもよい。たとえば、電源２３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、および燃料電池などを含むことができる。
【００３０】
プロセッサ２１８はまた、ＧＰＳチップセット２３６に結合されてもよく、ＧＰＳチップセット２３６は、ＷＴＲＵ２０２の現在の場所に関する位置情報（たとえば、緯度および経度）を提供するように構成されてもよい。ＧＰＳチップセット２３６からの情報に加えて、またはその情報の代わりに、ＷＴＲＵ２０２は、基地局（たとえば、基地局２１４ａ、２１４ｂ）からエアインターフェイス２１６上で位置情報を受信すること、および／または２つまたはそれ以上の近隣の基地局から受信されている信号のタイミングに基づいて、その位置を判定することができる。ＷＴＲＵ２０２は、実施形態との整合性を維持しながら、任意の適切な位置判定の方法を用いて位置情報を取得することができる。
【００３１】
プロセッサ２１８はさらに、その他の周辺機器２３８に結合されてもよく、周辺機器２３８は、追加の特徴、機能、および／または有線もしくは無線接続を提供する１つまたは複数のソフトウェアおよび／またはハードウェアモジュールを含むことができる。たとえば、周辺機器２３８は、加速度計、電子コンパス、衛星送受信機、デジタルカメラ（写真またはビデオ用）、ＵＳＢ（ユニバーサルシリアルバス）ポート、振動装置、テレビ送受信機、ハンドフリーヘッドセット、ブルートゥース（登録商標）モジュール、周波数変調（ＦＭ）無線装置、デジタル音楽プレイヤー、メディアプレイヤー、テレビゲームプレイヤーモジュール、およびインターネットブラウザなどを含むことができる。
【００３２】
図２Ｃは、図２Ａに示される通信システム２００内で使用されうる例示的なＲＡＮ２０４および例示的なコアネットワーク２０６を示す。前述するように、ＲＡＮ２０４は、Ｅ−ＵＴＲＡ無線技術を採用して、エアインターフェイス２１６上でＷＴＲＵ２０２ａ、２０２ｂ、および２０２ｃと通信することができる。ＲＡＮ２０４はまた、コアネットワーク２０６と通信することもできる。
【００３３】
ＲＡＮ２０４は、ｅＮＢ２４０ａ、２４０ｂ、および２４０ｃを含むことができるが、実施形態との整合性を維持しながら、ＲＡＮ２０４は任意の数のｅＮＢを含むことができることが理解されよう。ｅＮＢ２４０ａ、２４０ｂ、および２４０ｃの各々は、エアインターフェイス２１６上でＷＴＲＵ２０２ａ、２０２ｂ、および２０２ｃと通信するための１つまたは複数の送受信機を含むことができる。ある実施形態において、ｅＮＢ２４０ａ、２４０ｂ、および２４０ｃは、ＭＩＭＯ技術を実施することができる。したがって、たとえば、ｅＮＢ２４０ａは、複数のアンテナを使用して、ＷＴＲＵ２０２ａに無線信号を送信し、ＷＴＲＵ２０２ａから無線信号を受信することができる。
【００３４】
ｅＮＢ２４０ａ、２４０ｂ、および２４０ｃの各々は、特定のセル（図示せず）に関連付けられてもよく、無線リソース管理の決定、ハンドオーバーの決定、アップリンクおよび／またはダウンリンクにおけるユーザのスケジューリングなどを処理するように構成されてもよい。図２Ｃに示すように、ｅＮＢ２４０ａ、２４０ｂ、および２４０ｃは、Ｘ２インターフェイス上で相互に通信することができる。
【００３５】
図２Ｃに示されるコアネットワーク２０６は、モビリティ管理エンティティ（ＭＭＥ）２４２、サービングゲートウェイ２４４、およびパケットデータネットワーク（ＰＤＮ）ゲートウェイ２４６を含むことができる。前述の要素の各々は、コアネットワーク２０６の一部として示されているが、それらの要素のうちのいずれかがコアネットワークオペレータ以外のエンティティによって所有および／または運用されてもよいことが理解されよう。
【００３６】
ＭＭＥ２４２は、Ｓ１インターフェイスを介してＲＡＮ２０４におけるｅＮＢ２４０ａ、２４０ｂ、および２４０ｃの各々に接続されてもよく、制御ノードとしての役割を果たすことができる。たとえば、ＭＭＥ２４２は、ＷＴＲＵ２０２ａ、２０２ｂ、および２０２ｃのユーザを認証すること、ベアラのアクティブ化／非アクティブ化、ＷＴＲＵ２０２ａ、２０２ｂ、および２０２ｃの初期アタッチ中に、特定のサービングゲートウェイを選択することなどを担当することができる。ＭＭＥ２４２はまた、ＲＡＮ２０４と、ＧＳＭまたはＷＣＤＭＡのようなその他の無線技術を採用するその他のＲＡＮ（図示せず）とを切り替えるための制御プレーン機能を提供することもできる。
【００３７】
サービングゲートウェイ２４４は、Ｓ１インターフェイスを介してＲＡＮ２０４におけるｅＮＢ２４０ａ、２４０ｂ、および２４０ｃの各々に接続されてもよい。サービングゲートウェイ２４４は一般に、ユーザデータパケットを、ＷＴＲＵ２０２ａ、２０２ｂ、および２０２ｃの間でルーティングおよび転送することができる。サービングゲートウェイ２４４はまた、ｅＮＢ間ハンドオーバー中にユーザプレーンをアンカリング（anchoring）すること、ダウンリンクデータがＷＴＲＵ２０２ａ、２０２ｂ、および２０２ｃに対して使用可能な場合に、ページングをトリガすること、ＷＴＲＵ２０２ａ、２０２ｂ、および２０２ｃのコンテキストを管理して格納することなどのその他の機能を実行することもできる。
【００３８】
サービングゲートウェイ２４４はまた、ＰＤＮゲートウェイ２４６に接続されてもよく、ＰＤＮゲートウェイ２４６は、インターネット２１０のようなパケット交換ネットワークへのアクセスをＷＴＲＵ２０２ａ、２０２ｂ、および２０２ｃに提供して、ＷＴＲＵ２０２ａ、２０２ｂ、および２０２ｃとＩＰ対応のデバイスとの間の通信を円滑にすることができる。
【００３９】
コアネットワーク２０６は、その他のネットワークとの通信を円滑にすることができる。たとえば、コアネットワーク２０６は、ＰＳＴＮ２０８のような回線交換ネットワークへのアクセスをＷＴＲＵ２０２ａ、２０２ｂ、および２０２ｃに提供して、ＷＴＲＵ２０２ａ、２０２ｂ、および２０２ｃと従来の地上通信線通信デバイスとの間の通信を円滑にすることができる。たとえば、コアネットワーク２０６は、コアネットワーク２０６とＰＳＴＮ２０８との間のインターフェイスとしての役割を果たすＩＰゲートウェイ（たとえば、ＩＰマルチメディアサブシステム（ＩＭＳ）サーバ）を含むことができるか、またはＩＰゲートウェイと通信することができる。加えて、コアネットワーク２０６は、その他のサービスプロバイダによって所有および／または運用される他の有線または無線ネットワークを含むことができるネットワーク２１２へのアクセスを、ＷＴＲＵ２０２ａ、２０２ｂ、および２０２ｃに提供することができる。
【００４０】
これ以降、用語「無線送信／受信ユニット（ＷＴＲＵ）」に言及するときは、ユーザ機器（ＵＥ）、移動局、固定または移動加入者ユニット、ページャー、携帯電話、携帯情報端末（ＰＤＡ）、コンピュータ、または無線環境において動作することのできるその他の任意の種類のユーザ装置を含むが、これらに限定されない。
【００４１】
これ以降、用語「基地局」に言及するときは、ＮｏｄｅＢ、サイトコントローラ、アクセスポイント（ＡＰ）、または無線環境において動作することのできるその他の任意の種類のインターフェイス接続装置を含むが、これらに限定されない。
【００４２】
図３は、第１の実施形態に準じたＷＴＲＵ３０５、Ｅ−ＵＴＲＡＮ３１０、ＭＭＥ３１５、およびＭＳＣ／ＶＬＲ３２０を含む無線通信システムにおいて実行されるＣＳＦＢコール確立プロシージャのシグナルフロー図であり、ＣＳドメインへのアクセスが輻輳またはオペレータポリシーの実施により一時的に制限されている。ＷＴＲＵ３０５は、少なくとも１つのタイマー３２５（すなわち、Ｔ３４４２）を含むことができ、ＭＭＥ３１５は、少なくとも１つのタイマー３３０を含むことができ、ＭＳＣ／ＶＬＲ３２０は、少なくとも１つのタイマー３３５を含むことができる。ＭＭＥ１１５は、ＳＧインターフェイス３３８を介してＭＳＣ／ＶＬＲ３２０と通信することができる。アタッチメッセージまたはＴＡＵメッセージの送信後に、ＷＴＲＵ３０５がＰＳおよびＣＳドメインの両方に登録されるときに、ＷＴＲＵ３０５は結合型ＥＰＳ／ＩＭＳＩアタッチドであってもよい（３４０）。ＷＴＲＵ３０５は、ＭＯ−ＣＳＦＢ−ＥＳＲメッセージをＭＭＥ３１５に送信する（３４５）ことにより、ＣＳＦＢ要求プロシージャを開始することができる。しかし、ＭＭＥ３１５は、ＭＳＣ／ＶＬＲ１２０により判定されるように、所定の期間にわたりＣＳ輻輳制御を一時的に適用することができる。ＣＳドメインへのアクセスが一時的に制限されているため、ＭＭＥ３１５は、原因値（たとえば、＃３９）を使用して、サービス拒否メッセージでタイマー値により定義されるように、ＣＳドメインが所定の期間にわたり一時的に使用不可能になることを指示するために、サービス拒否メッセージをＷＴＲＵ３０５に送信することができる（３５０）。ＷＴＲＵ３０５のタイマー３２５（すなわち、Ｔ３４４２）は、サービス拒否メッセージに含まれるタイマー値に設定され、アクティブ化されてもよい（３５５）。
【００４３】
図３のＣＳＦＢコール確立プロシージャの第１の実施形態に準じて、ＭＳＣ／ＶＬＲ３２０は、ＷＴＲＵ３０５に対するＭＴコール要求を受信し、ＷＴＲＵ３０５に通知するようＭＭＥ３１５に要求することができる。ＭＭＥ３１５は、ページング要求をＥ−ＵＴＲＡＮ３１０に送信して（３６０）、ＭＴ−ＣＳコールについてＷＴＲＵ３０５にページングする（３６２）。この実施形態において、ＷＴＲＵ３０５は、ＭＴ−ＣＳコールのページングが受信される場合（３６０）、別のＥＳＲメッセージを送信できるようになる前に、タイマー３２５が満了するのを待つ必要はない。その代わり、ＷＴＲＵ３０５のタイマー３２５は、ページングに応答して非アクティブ化されてもよく（３６５）、ＭＴ−ＣＳＦＢコールのためのＥＳＲメッセージは、タイマー３２５が満了するのを待つことなく、即座に送信されてもよい（３７０）。次いで、ＭＭＥ３１５は、リダイレクション／ハンドオーバー情報（たとえば、ターゲットセルのパラメータ）をＷＴＲＵ１１５に送信することができる（３７５）。
【００４４】
引き続き図３を参照すると、ＣＳサービスの使用可能化／使用不可能化要求の目的で、タイマー３２５がＷＴＲＵ３０５で稼働している場合、ＷＴＲＵ３０５は、ページング（３６２）の送信元が、ＭＴ−ＣＳコール、または位置情報サービスもしくは補足サービスのようなその他のＣＳサービスの目的で、ＣＳドメインであることを指示するページングメッセージ（無線リソース制御（ＲＲＣ）メッセージ）を受信する場合、タイマー３２５を非アクティブ化することができる。加えて、ＷＴＲＵ３０５は、予想されるとおりＥＳＲメッセージを送信することによりページング（３６２）に応答することができる。一方、ＷＴＲＵ３０５が接続済みモードにある（すなわち、少なくともＮＡＳ（non-access stratum）シグナリング接続による）場合、ＷＴＲＵ３０５がＭＴ−ＣＳサービス（たとえば、ＣＳコール、位置情報サービス、または補足サービス）の通知を受信するときに、ＷＴＲ３０５は類似するアクションをとることができる、すなわちＷＴＲＵ３０５はタイマー３２５を停止して、ＣＳサービス通知メッセージを通常どおりに（すなわち、通知が受信され、タイマー３２５が稼働していない場合と同様に）処理することができる。
【００４５】
あるいは、ＣＳサービスの使用可能化／使用不可能化要求の目的で、ＷＴＲＵ３０５は、ＭＴ−ＣＳＦＢ要求が受信される場合（すなわち、ページングまたはＣＳサービス通知メッセージの受信を介して）、ＥＳＲを送信することが許可されてもよい。しかし、タイマー３２５は、ＭＴ−ＳＦＢが承認されることをＥＳＲが指示するという条件で、非アクティブ化されてもよい。ＷＴＲＵ３０５がＭＴ−ＣＳＦＢのためにページングされた場合、ＷＴＲＵはＥＳＲメッセージを送信することができ、ユーザは要求を拒否する選択を有さない。したがって、これは、ＭＴ−ＣＳＦＢ要求を承認するものと見なされてもよい。あるいは、タイマー３２５は、（正常なシステム間変更の下位層インジケーション、またはシステム間変更を実行するためのモビリティメッセージを受信すると）、ＭＴ−ＣＳＦＢ要求が承認されており、ＣＳＦＢプロシージャが開始されるか、または正常に完了しているときに、非アクティブ化されてもよい。ＣＳＦＢコール確立プロシージャが失敗したと見なされる場合、ＷＴＲＵ３０５はタイマー３２５を再開するか、または再アクティブ化することができる。
【００４６】
あるいは、ＣＳサービスの使用可能化／使用不可能化要求の目的で、ＷＴＲＵ３０５がＣＳサービス通知メッセージを受信し、上位層（たとえば、コールを承認／拒否するように要求された後のユーザ）が、コールの拒否を指示する場合、ＭＴ−ＣＳＦＢ要求の拒否を指示するＥＳＲメッセージが送信されてもよい。しかし、ＷＴＲＵ３０５は、タイマー３２５の稼働状態を維持することができる。
【００４７】
ＷＴＲＵ３０５が緊急コールを発信しようとするので、ＥＳＲメッセージが送信され、ＷＴＲＵ３０５が原因＃３９によるサービス拒否を受信する場合（たとえば、ＷＴＲＵ３０５がＩＭＳ緊急コールをサポートしない場合）、ＷＴＲＵ３０５は緊急コールを発信するために自発的にＣＳドメインへの再選択をすることができる。あるいは、輻輳制御は緊急コールのためのＭＯ−ＣＳＦＢ要求に適用されてはならない、すなわち、ＭＭＥ３１５がＣＳＦＢコールの輻輳制御を適用している場合に、ＭＭＥ３１５は常にそのような要求を承認することができる。ＷＴＲＵ３０５は、たとえタイマー３２５が稼働中であっても（たとえばＮＡＳメッセージなどのシグナリングを介して）、緊急コールのＭＯ−ＣＳＦＢを送信するように通知されるか、または事前構成されてもよく、たとえば要求が拒否される場合に、ＣＳドメインへの自発的再選択など、別のアクションを行う前にネットワーク応答を待つことができる。同様に、ＷＴＲＵ３０５は、タイマー３２５が稼働中のときに、ＣＳ緊急コールを発信するためにＣＳドメインへの再選択を実行するよう（たとえばＮＡＳメッセージなどのシグナリングを介して）通知されるか、または事前構成されてもよい。
【００４８】
第２の実施形態において、ＣＳドメインの使用不可能状態に関するインジケーションは（場合によっては、ＷＴＲＵによって送信される定期的ＴＡＵ要求に応答して、すなわち、たとえＴＡＵ要求が結合型に設定された更新タイプを持たない場合であっても）、結合型登録されるＷＴＲＵに対して、たとえばＴＡＵ承認メッセージなど、その他のＮＡＳメッセージに含まれてもよい。このようにして、ネットワークは、たとえばサービス拒否メッセージを介して、使用不可能状態に関してＷＴＲＵに通知するため、ＷＴＲＵがＥＳＲメッセージを送信するのを待つ必要はない。さらに、ＷＴＲＵは、たとえばＣＳドメインの使用不可能状態を指示するために、メッセージをユーザに表示することができる。
【００４９】
第２の実施形態において、ＷＴＲＵ３０５のタイマー３２５を設定するためのタイマー値は、ＣＳドメインの使用不可能状態の期間に関してＷＴＲＵ３０５に通知するために、ＭＭＥ３１５またはＥ−ＵＴＲＡＮ３１０により送信されたその他のＮＡＳメッセージに含まれてもよい。ＷＴＲＵ３０５は、緊急コールが要求され、ＷＴＲＵ３０５がＩＭＳ緊急コールをサポートしない場合に、ＣＳドメインへ自発的に再選択することができる。ＣＳドメインの使用不可能状態に関するインジケーションは、ＥＰＳネットワークフィーチャサポートＩＥのような、新しい情報要素（ＩＥ）または既存のＩＥの新しいビット位置の形態であってもよい。
【００５０】
さらに、ネットワーク（Ｅ−ＵＴＲＡＮ）は、ＣＳドメインの使用可能状態または使用可能状態の不足をシグナリングするために、インジケータをブロードキャストすることができる。インジケータは、たとえば、ＭＭＥ３１５からＥ−ＵＴＲＡＮ３１０へのＣＳドメインが使用可能または使用不可能であることの通知などに応じて、使用可能または使用不可能（またはＣＳドメインの使用可能状況を指示する任意の名称）に設定されてもよい。この通知は、ＭＳＣ／ＶＬＲ３２０による使用可能状態、ＳＧインターフェイス３３８の障害の結果としてのＣＳドメインの使用可能状態の不足、ＭＳＣ／ＶＬＲ３２０の障害またはリセット、または任意のその他の輻輳制御の形態をシグナリングするインジケーションの受信によりトリガされてもよい。加えて、ＷＴＲＵ３０５が、システム情報を読み込み中に、ＣＳドメインが現在使用可能であると指示するＣＳドメイン使用可能状況における変化を認識する場合、ＷＴＲＵ３０５はタイマー３２５を非アクティブ化することができる。
【００５１】
ＷＴＲＵ３０５が、たとえば発信番号識別（caller line identification）などを伴うＣＳサービス通知を受信することができるときに、ＷＴＲＵ３０５は、コールを承認または拒否するために、上位層（たとえば、ユーザ）に入力を要求することができる場合もある。上位層からの入力は、受信されてはならない。したがって、タイマー３２５が稼働している場合、ＷＴＲＵ３０５は、コールを承認または拒否する入力を上位層に要求する前に（またはその要求にかかわりなく）ＣＳサービス通知を受信するときに、タイマー３２５を停止することができる。これは、上位層の入力が要求されないときに適用可能であってもよい。さらに、ＷＴＲＵ３０５は、ここで、輻輳制御状況（またはＣＳドメイン使用可能状況）が変化した（たとえば、使用可能である）ことをユーザに表示することができる。
【００５２】
ＣＳＦＢコール（たとえば、ＭＯもしくはＭＴ、その両方、またはＳＭＳ、補足サービス（ＳＳ）、および位置情報サービス（ＬＣＳ）のようなその他のＣＳサービス）が一時的に許可されないことがユーザに指示されてもよい。このインジケーションは、タイマー３２５がアクティブ化されるときに常に行われてもよく、タイマーが停止されるときに、または満了した後に解除されてもよい。
【００５３】
緊急コールの発信への遅延を回避する目的で、ＷＴＲＵ３０５が緊急コールのためにＳＣＦＢのＥＳＲメッセージを送信するときに、タイマー３２５（すなわち、Ｔ３４１７ｅｘｔ）は、図１ＢのＷＴＲＵ１０５のタイマー１４０で使用される１０秒よりも小さい値を有することができる。たとえば、４秒の値は、図３のＷＴＲＵ３０５におけるタイマー３２５に使用されてもよい。それにより、ＷＴＲＵ３０５は、たとえば連続的な下位層の障害、ＭＭＥリセットなどのような、ネットワークからの応答には至らない障害のシナリオが発生した場合に、その他のアクションを行うことができる。したがって、このタイマー３２５が満了する場合、ＷＴＲＵ３０５は、緊急コールを発信するためにＣＳドメインへ自発的に再選択することができる。あるいは、ＷＴＲＵ３０５がＩＭＳ対応であり、ネットワークがＩＭＳ緊急コールをサポートする場合、ＷＴＲＵ３０５は、ＩＭＳを介して緊急コールの発信を試みることができる。
【００５４】
あるいは、タイマー３２５の値は、変更されてはならない。しかし、ＷＴＲＵ３０５は、すでにＥＳＲメッセージを送信していた場合であっても、別のＥＳＲメッセージを送信することができる。したがって、ＷＴＲＵ３０５は、たとえタイマー３２５が引き続き稼働しているとしても、ネットワークからの応答（すなわち、サービス拒否メッセージ、またはＣＳＦＢ要求プロシージャの成功もしくは失敗に関する下位層インジケーションのいずれか）を受信しない場合、複数のＥＳＲメッセージを送信することができる。ＷＴＲＵ３０５が追加のＥＳＲメッセージを送信することを決定する時間は、実施態様に依存してもよく、またはＷＴＲＵ３０５で事前定義されてもよい。上記で説明される実施形態が緊急コール向けではないＭＯ−ＣＳＦＢまたはＭＴ−ＣＳＦＢの場合にも適用できることに留意されたい。
【００５５】
ＰＳドメイン（たとえば、ＬＴＥ）上でのＳＭＳ転送が、ＵＬ（ＭＯ）のＮＡＳ−ＵＬ転送メッセージ、およびＤＬ（ＭＴ）のＮＡＳ−ＤＬ転送メッセージのそれぞれで、ＳＭＳメッセージをカプセル化することにより実行されてもよい。ＰＳドメインのＮＡＳ層は、たとえＳＭＳメッセージを送信する場合であっても、再送信を実行してはならない。これらの再送信は、ＳＭＳエンティティ自体によってトリガされてもよい。したがって、ＳＭＳの受信を確認するためのＬＴＥ−ＮＡＳ肯定応答（ＡＣＫ）メッセージは存在しない。ＭＳＣ／ＶＬＲ３２０がリセットして、ＬＴＥおよびＣＳドメインへの結合型登録を実行したＷＴＲＵのすべてのコンテキストを失うことがある場合もある。ＷＴＲＵに通知されない場合、ＷＴＲＵによるＳＭＳメッセージの連続的な送信は失敗し続けることがある。さらに、ＭＭＥ３１５がＵＬおよびＤＬの両方でＳＭＳメッセージを再カプセル化して中継するだけなので、この場合のＭＭＥ３１５は、ＳＭＳメッセージ転送要求を単に無視することがある。したがって、ＷＴＲＵ３０５がＰＳドメインに留まり、ＭＳＣ／ＶＬＲ３２０がまだ稼働していない場合、ユーザはＳＭＳメッセージの送信／受信を行うことができない場合がある。
【００５６】
たとえば、ＭＳＣ／ＶＬＲ３２０のリセットに起因するなど、ＳＧインターフェイス３３８の障害について知る目的で、ＳＭＳメッセージのＮ回の送信／再送信を実行した後（Ｎは整数）、ＷＴＲＵ３０５がＳＭＳプロトコルに従ってＡＣＫを受信しなかった場合、（すなわち、競合期間（ＣＰ：contention period）−ＡＣＫ）、ＷＴＲＵ３０５はＳＭＳ（ＮＡＳ−ＵＬトランスポート）またはＥＳＲメッセージの送信を停止することができる。さらに、これは、ＷＴＲＵ３０５が、ネットワークからの応答を検証することにより、ＳＧインターフェイス３３８の状況に関して通知されるようにするために、結合型ＴＡＵ要求を送信するためのトリガとして使用されてもよい。あるいは、ＷＴＲＵ３０５は次の定期的ＴＡＵプロシージャを待ち、次いで、更新タイプが定期的に設定されたＴＡＵの代わりに、結合型ＴＡＵを送信することができる。加えて、ＷＴＲＵ３０５がＭＴ−ＳＭＳまたはＭＴ−ＣＳＦＢ要求を受信する場合、ＷＴＲＵ３０５はＳＭＳ（ＵＬ−ＮＡＳトランスポート）またはＥＳＲメッセージの送信を再開することができる。この場合、ＷＴＲＵ３０５は、ＳＧインターフェイス３３８の接続が引き続き有効であると仮定して、通常通り続行することができる。
【００５７】
あるいは、ＷＴＲＵ３０５は、ＣＳサービス／ドメインが一時的に（たとえば、輻輳により）使用可能ではないことを、アタッチ承認またはＴＡＵ承認メッセージを介して通知されてもよい。ネットワークはまた、ＷＴＲＵ３０５のタイマー３２５を設定するためのタイマー値（すなわち、Ｔ３４４２）をそのようなメッセージに含むこともできる。したがって、ＷＴＲＵ３０５は、ＥＳＲメッセージを送信する前にこのサービス／ドメイン使用不可能状態に関して通知されてもよく、ＷＴＲＵ３０５は、たとえばそのようなインジケーションをユーザに表示し、または上位層により要求されるときに緊急コールのためにＣＳドメインへ再選択するなどの、特定のアクションを行うことができる。ＷＴＲＵ３０５は、あたかもＥＳＲメッセージの送信によりサービス拒否メッセージが受信されたかのように、アタッチ／ＴＡＵ承認メッセージにタイマー値が含まれることを解釈することができる（たとえば、ＷＴＲＵ３０５は、たとえば特定の補足サービスまたはすべての補足サービスなどに対して、明示的に行わないよう通知されない限り、ＭＴ−ＣＳＦＢに引き続き応答することができる）。これは、定期的ＴＡＵ要求を含む、すべてのタイプの登録メッセージに適用されもよい。さらに、そのようなインジケーションは、ＷＴＲＵ３０５がＣＳドメインにあるときに（ＧＥＲＡＮ／ＵＴＲＡＮ）、ＷＴＲＵ３０５に提供されてもよい。したがって、ＭＭＥ３１５が輻輳制御を実行していることをＷＴＲＵ３０５が通知される場合、ユーザは（たとえば、ＷＴＲＵ３０５からのインジケーションを使用することにより）、ＷＴＲＵ３０５がＣＳドメインに留まるなど、ＷＴＲＵ３０５の設定を変更するよう選択することができる。あるいは、ＷＴＲＵ３０５はＷＴＲＵの設定に基づいて、ＣＳドメインに留まることを決定することができる（たとえば、ＷＴＲＵ３０５が音声中心であり、そのようなインジケーションが受信される場合、ＷＴＲＵ３０５は、輻輳制御が終了するまで、またはＷＴＲＵ３０５によるマニュアル選択が無線アクセス技術（ＲＡＴ）のＰＳドメイン（ＬＴＥ）への変更を引き起こすまで、またはハンドオーバーまで、ＣＳドメインに留まることができる）。インジケーションが、ＣＳドメインにあるＷＴＲＵに対して（ＰＳドメインの）そのような制御の終了のために設定されてもよい。
【００５８】
図４は、第３の実施形態に準じたＣＳＦＢコール確立プロシージャを示すシグナルフロー図である。ＭＳＣ／ＶＬＲ３２０は、輻輳制御プロシージャを開始するために、ＳＧインターフェイス３３８上で輻輳インジケーションメッセージ（４０５）を送信することができ、輻輳の増大を防ぐように、ＭＭＥ３１５のタイマー３３０、およびＷＴＲＵ３０５のタイマー３２５を設定するためのタイマー値を随意に含むことができる。ＭＳＣ／ＶＬＲ３２０はまた、所定の期間に設定されたタイマー３３５をアクティブ化することもでき、その間にＭＭＥ３１５からの輻輳インジケーションＡＣＫを待つ（４１０）。ＭＭＥ３１５は、輻輳インジケーションメッセージに含まれるタイマー値に設定されたタイマー３３０をアクティブ化して、輻輳制御基準を適用することができる（４１５）。ＭＳＣ／ＶＬＲ３２０がＭＭＥ３１５から輻輳インジケーションＡＣＫを受信する場合（４２０）、ＭＳＣ／ＶＬＲ３２０のタイマー３３５は非アクティブ化される（４２５）。それ以外の場合、ＭＳＣ／ＶＬＲ３２０は、輻輳インジケーションＡＣＫが受信される前にタイマー３３５が満了する場合、輻輳インジケーションメッセージを再送信することができる（４３０）。ＭＭＥ３１５のタイマー３３０が満了するときに、ＭＭＥ３１５は、輻輳制御基準の適用を停止することができる（４３５）。
【００５９】
輻輳制御基準が適用されている期間中、ＷＴＲＵ３０５により送信されたＣＳサービス要求がＭＭＥ３１５により受信されるときに（４４０）、サービス拒否メッセージ（４４５）がＭＭＥ３１５によりＷＴＲＵ３０５に送信される。サービス拒否メッセージは、ＷＴＲＵ３０５のタイマー３２５を設定するために使用されるべきタイマー値を含むことができ、またＣＳドメイン輻輳インジケーション（原因）を含むこともできる。ＣＳサービス要求は、ＣＳＦＢ（すなわち、ＥＳＲメッセージ）、またはＳＭＳ（すなわち、ＵＬ−ＮＡＳトランスポートメッセージ）に対するものであってもよい。
【００６０】
ＭＳＣ／ＶＬＲ３２０は、輻輳制御基準（またはＣＳドメイン使用可能状況）が、ＣＳＦＢ（ＣＳドメイン）、またはＣＳＦＢおよびＳＭＳ（ＰＳドメイン）の両方に適用可能であるかどうかを、ＭＭＥ３１５に指示することができる。さらに、ＣＳＦＢ輻輳制御基準（またはＣＳドメイン使用可能状況）は、ＣＳコールのみ、位置情報サービスのみ、補足サービスのみ、またはそれらの任意の組み合わせに適用可能であってもよい。したがって、ＭＭＥ３１５は、輻輳制御（またはＣＳドメイン使用可能状況）基準が満たされない場合、ＣＳＦＢを許可することができる。たとえば、輻輳制御がＣＳコールのみに適用されたと仮定して、ＬＣＳおよびＳＳに対するＭＴ−ＣＳＦＢが許可されてもよい。この場合、ＭＳＣ／ＶＬＲ３２０は、ページングがその他の（非ＣＳコール）の目的のためであることをＭＭＥ３１５が認識できるように、ＳＧインターフェイス３３８上のページングメッセージにおける関連するＩＥを含むことができる。
【００６１】
輻輳制御は、ＷＴＲＵのサブセット（たとえば一部のオペレータポリシーに基づいてＣＳドメインにアクセスすることを許可されなくなったＷＴＲＵ）のみに対して実行されてもよい。したがって、ＭＳＣ／ＶＬＲ３２０は、アクセス制御が実行されうるＷＴＲＵをＭＭＥ３１５に指示することができる。これは、ＷＴＲＵ識別情報としてＩＭＳＩを使用することにより実行されてもよい。さらに、ＣＳドメイン使用可能状態制御は、特定のＣＳＧ（closed subscriber group）のメンバーであるＷＴＲＵに適用されてもよい。たとえば、ＨｅＮＢは、ＩＭＳサービスをサポートしないが、特定のＣＳＧのメンバーであるＷＴＲＵにサービスを提供するために配置されてもよい。
【００６２】
輻輳制御を実行する目的で、ＷＴＲＵ３０５が輻輳に関して通知される（たとえば、ＷＴＲＵが、バックオフ輻輳制御／バックオフタイマー、ＥＰＳバックオフ、ＮＡＳバックオフタイマー、アクセスポイントネットワーク（ＡＰＮ）バックオフタイマー、またはタイマーの任意の組み合わせを提供される）場合、ＷＴＲＵ３０５は、ＣＳドメインサービスに固有であるか、またはＰＳドメインで稼動するアプリケーション（たとえば、（ＵＬ／ＤＬ汎用ＮＡＳトランスポートを介して、位置サービス情報を交換するためにＬＴＥ−ＮＡＳメッセージを使用する）ＬＴＥの位置情報サービス）に固有である要求／メッセージを搬送するＮＡＳメッセージを送信してはならない。
【００６３】
たとえば、ＷＴＲＵ３０５が、ＰＳドメインにある間に、ＣＳドメイン輻輳に関して通知される（たとえば、ＷＴＲＵが、そのタイマー３２５を、たとえばＴ３４４２または任意のその他の明確なＭＭバックオフタイマー値などに設定するためにモビリティ管理（ＭＭ）バックオフタイマー値を提供されうる）場合、以下の方法が適用可能であってもよい。例示の方法において、ＷＴＲＵ３０５がＥＰＳに登録される場合、すなわち、ＷＴＲＵの結合型アタッチプロシージャがＥＰＳアタッチに対して承認される場合、およびＷＴＲＵ３０５がＭＭバックオフタイマー（たとえば、Ｔ３４４２または任意の等価のタイマー）を提供されうる場合、ＷＴＲＵ３０５は、ＭＭバックオフタイマー（または、たとえばＴ３４４２など任意のその他の等価のタイマー）が満了するまで別の結合型アタッチを開始してはならない。例外的に、ＷＴＲＵ３０５がＣＳ緊急コールの要求を有する場合、ＷＴＲＵ３０５は、結合型アタッチプロシージャを開始することができる。このルールの例外は、地上波公共移動通信ネットワーク（ＰＬＭＮ：Public Land Mobile Network）、ＭＭＥ／ＳＧＳＮ、ＭＳＣ／ＶＬＲ、または任意の組み合わせにおける変更であってもよい。
【００６４】
この目的で、ＷＴＲＵ３０５は、結合型アタッチプロシージャをアイドルモードで開始している場合、確立原因を「緊急コール」に設定することができる。ＷＴＲＵ３０５が、アタッチ要求メッセージの代わりに、ＴＡＵメッセージを送信することができる（すなわち、方法はアタッチおよびＴＡＵメッセージの両方に適用される）ことに留意されたい。
【００６５】
ＷＴＲＵ３０５がすでに接続済みモードにあり、アタッチ要求またはＴＡＵメッセージを送信しようとする場合、（アタッチプロシージャまたはＴＡＵプロシージャのそれぞれに対し）新しいアタッチタイプまたは更新タイプは、保留中の緊急コールがあることをＷＴＲＵ３０５がＭＭＥ３１５に通知できるように定義されてもよい。たとえば、新しいアタッチタイプは、「ＥＰＳ／緊急ＩＭＳＩアタッチ」となるよう定義されてもよく、または新しい更新タイプは、たとえば「通常のＥＰＳ更新／緊急ＩＭＳＩアタッチ」に定義されてもよい。したがって、これにより、ＭＭＥ３１５は、保留中ＣＳ緊急コールがあるので、ＷＴＲＵ３０５がこのメッセージを送信していることを認識する。
【００６６】
加えて、ＭＭＥ３１５は（保留中の緊急コールがあるので）登録を承認することができ、またＣＳドメインのＷＴＲＵを登録するために、ＭＳＣ／ＶＬＲ３２０向け位置更新プロシージャをトリガすることができる。さらに、ＭＭＥ３１５は、登録が緊急の目的のためであることをＭＳＣ／ＶＬＲ３２０向け位置更新に指示することができる。これは、新しい更新タイプを定義するか、または新しいＩＥをＭＳＣ／ＶＬＲ３２０向けメッセージに含めることにより達成されてもよい。
【００６７】
ＷＴＲＵ３０５は、優先度の低いデバイス（または、将来のリリースで定義されうる任意のその他の動作モード）として構成されてもよく、送信するＥＳＲメッセージにデバイス特性ＩＥを含めることができる。もう別のオプションとして、ＷＴＲＵ３０５は、ＥＳＲメッセージが緊急コールのためのものである場合（たとえば、ＷＴＲＵ３０５が上記で説明されるような緊急コールのためにＣＳドメインに登録を試みている場合）、このＩＥをＥＳＲメッセージに含めてはならない。同様に、ＭＭＥ３１５は、ＷＴＲＵ３０５が緊急コールを発信する目的で結合型登録を実行している場合、ＭＳＣ／ＶＬＲ３２０に送信されるメッセージにデバイス特性ＩＥを含めてはならない。登録に成功した後、ＷＴＲＵ３０５は、ＣＳＦＢをトリガするためにＥＳＲメッセージを送信する必要はない。ＭＭＥ３１５は、自発的に（すなわち、ＣＳＦＢに対するＷＴＲＵからの明示的なＥＳＲなしに）、あたかもＥＳＲメッセージがＷＴＲＵ３０５から受信されたかのように、当該ＷＴＲＵ３０５に対しＣＳＦＢを実行するためのアクションを行うことができる。したがって、ＭＭＥ３１５は、ＰＳハンドオーバー（ＨＯ）を実行するか、またはＥ−ＵＴＲＡＮ３１０にその接続を解放することにより、ＷＴＲＵ３０５をリダイレクトして、リダイレクション情報を提供するよう通知するかのいずれかを選択することができる。リダイレクションは、実行されてもよく、さらに、ＭＭＥ３１５は、優先度の高いＣＳＦＢを、Ｓ１ＡＰメッセージ（たとえば、ＣＳＦＢインジケータを持つＷＴＲＵコンテキスト変更メッセージ）を介してＥ−ＵＴＲＡＭ３１０にシグナリングすることができる。ＷＴＲＵ３０５は、ＰＳドメイン（すなわち、ＬＴＥまたはＵＴＲＡＮ）におけるいかなる確立済みベアラも非アクティブ化してはならない。
【００６８】
あるいは、ＷＴＲＵ３０５は、ＣＳ緊急コールの要求があると、直接／自発的にＣＳドメインに再選択することができる（すなわち、ＷＴＲＵ３０５は、ＰＳドメインを介してＣＳドメインに登録、（アタッチまたはＴＡＵメッセージを介してＰＳドメインで結合型登録を実行）する必要はない）。再選択すると、ＷＴＲＵ３０５は、ＣＳドメインで登録することができ、（ＷＴＲＵ３０５がすでにＣＳドメインにあったかのように）予想通りにプロシージャに従うことができる。
【００６９】
ＷＴＲＵ３０５がＣＳドメインにあり（すなわち、ＷＴＲＵ３０５がすでにＣＳドメインにあったか、またはＣＳドメインへの再選択を実行した）、（自発的またはネットワークにより指示されたように、またはＣＳドメインへのシステム間変更を実行していた）、およびＭＭバックオフタイマーまたは任意の等価のタイマーを稼働している場合、緊急コールの要求があると、ＷＴＲＵ３０５は、（ＷＴＲＵ３０５がまだ登録されていない場合）この登録の理由が緊急コールであることを、たとえば「緊急ＩＭＳＩアタッチ」のような新しいアタッチタイプを定義することにより、アタッチメッセージに指示することができる
【００７０】
さらに、ＷＴＲＵ３０５がバックオフタイマーを稼働していたので、ＷＴＲＵ３０５は、緊急コールの期間にわたり自身が、緊急アタッチされていると見なすことができる。ＷＴＲＵ３０５は、稼働しているバックオフタイマーが停止するときに、その値を保存することができ、緊急コールが終了した後に、ＷＴＲＵ３０５がその保存された値またはその値の一部からタイマーを再開して、そのようなタイマーが稼働中のときに予想されるルールに準じて動作する（たとえば、ＷＴＲＵ３０５はＭＯ−ＣＳ関連のシグナリング／ＣＳデータ要求を送信してはならない、など）。これは、ＰＳドメイン（たとえば、ＬＴＥまたはＥ−ＵＴＲＡＮ）に適用可能であってもよい、すなわち、稼働中の任意のＮＡＳ、ＰＳ、もしくはＣＳ固有、またはＡＰＮ固有のバックオフタイマーがある間に、ＭＯ−ＣＳ関連のシグナリングが緊急ベアラサービスのための緊急アタッチを実行している場合、ＷＴＲＵ３０５は、緊急コール中にタイマーを停止およびリセットしてはならない。別のオプションとして、ＷＴＲＵ３０５は、通常通り緊急コールの存続期間中に、タイマーの稼働を維持することができる。それらの方法がＣＳおよび／またはＰＳ緊急コール／サービスの両方に適用できることに留意されたい。
【００７１】
別の方法において、ＷＴＲＵ３０５がＥＰＳ／ＩＭＳＩ（すなわち、ＰＳおよびＣＳドメインの両方）にすでに登録されているが、ＷＴＲＵ３０５がすでにＭＭバックオフタイマー（または任意の等価のタイマー、たとえばＴ３４４２）を稼働中である場合、ＷＴＲＵは（緊急コールの場合を除き）ＣＳＦＢのいかなる要求も送信してはならない、またＵＬ−ＮＡＳ−ＴＲＡＮＳＰＯＲＴ（ＬＴＥ−ＮＡＳ）メッセージを介していかなるＳＭＳメッセージも送信してはならない。以下の事項が任意の組み合わせで使用されてもよい。
【００７２】
ＷＴＲＵ３０５は、ＰＬＭＮ、ＭＳＣ／ＶＬＲ３２０、またはＭＭＥ３１５のうちの少なくとも１つが変更されている場合を除き、別の結合型登録を送信してはならない。
【００７３】
ＭＭＥ３１５またはＭＳＣ／ＶＬＲ３２０はまた、ＳＧＳＮが輻輳しているかどうかに関してＷＴＲＵ３０５に通知することができる。ＳＧＳＮが輻輳していない場合、（またはＷＴＲＵ３０５がＳＧＳＮ輻輳に関する情報を有していない場合）、ＷＴＲＵは自発的にＰＳドメイン（ＧＥＲＡＮ１２５／ＵＴＲＡＮ１３０）へ再選択して、ＳＧＳＮを介してＳＭＳ転送を実行することができる。あるいは、ＭＭＥ３１５／Ｅ−ＵＴＲＡＮ３１０は、ＷＴＲＵ３０５をＰＳドメインにリダイレクトして、ＳＧＳＮを介してＳＭＳを実行することができる。そのようなインジケーションはまた、ＲＲＣメッセージング（たとえば、ＲＲＣ接続解放）を介してＷＴＲＵ３０５に提供されてもよい。
【００７４】
ＷＴＲＵ３０５は、ＭＭＥ３１５に通知するために接続済みモードへ遷移するとき、ＰＳドメインで送信される初期ＮＡＳメッセージがサービス要求メッセージまたはＥＳＲメッセージであり、そのいずれもそのようなインジケーションを提供しないので、この遷移の目的がＳＭＳのためであるという新しい確立原因を使用することができる。また、ＥＳＲメッセージが使用される場合、ＷＴＲＵ３０５はこの目的で新しいサービスタイプを使用することができる。あるいは、ＷＴＲＵ３０５は、（随意に優先度の低いデバイスまたはその他の動作モードのみ）、初期ＮＡＳメッセージとしてＵＬ−ＮＡＳ−ＴＲＡＮＳＰＯＲＴメッセージを送信することを許可されてもよい。
【００７５】
ＷＴＲＵ３０５は、再選択、またはシステム間変更、またはＰＬＭＮ変更などのいずれかがあると、ＷＴＲＵ３０５が登録されていた以前のノード、（または、たとえば、ＭＭＥ３１５、またはＭＳＣ／ＶＬＲ３２０、またはＳＧＳＮ、または任意の組み合わせなど接続していた最後のノード）が、当該ＷＴＲＵ３０５へ問題になる輻輳制御を適用したことを、新しい／ターゲットノード（たとえば、ＭＭＥ３１５、またはＳＧＳＮ、またはＭＳＣ／ＶＬＲ３２０）に指示することができる。受信側ノードは、指示されたノードとコンタクトすることを回避することができ、現在のサービングノードは、任意の加入者関連情報についてホーム加入者サービス（ＨＳＳ：home subscribver service）に直接コンタクトすることができる。
【００７６】
ＷＴＲＵ３０５が結合型アタッチまたは結合型ＴＡＵを実行するためのトリガがなく、ＷＴＲＵ３０５がすでにＣＳおよびＰＳドメインの両方に登録されていてもよい場合がある。したがって、成功した結合型登録が存在することにより、ＷＴＲＵ３０５は、ＰＳドメインを介して、（ＵＬ−ＮＡＳ−ＴＲＡＮＳＰＯＲＴメッセージを使用して）ＳＭＳメッセージを送信することができる。ＭＭＥ３１５の予想される動作は、このＮＡＳメッセージのカプセル化された内容（すなわち、ＳＭＳメッセージ）をＭＳＣ／ＶＬＲ３２０に転送することである。しかし、ＭＳＣ／ＶＬＲ３２０は、（この時点、またはＷＴＲＵ３０５によるＳＭＳの送信前の任意の時点において）、問題となる当該ＷＴＲＵ３０５（またはＷＴＲＵのサブセット）の輻輳制御の適用を要求することができる。したがって、この機能を達成するため、以下の方法が使用されてもよい。
【００７７】
ＭＳＣ／ＶＬＲ３２０は、輻輳制御を指示する前に、ＷＴＲＵが結合型登録を実行するのを待つ必要はない（すなわち、ＭＳＣ／ＶＬＲはＳＧインターフェイス３３８を介してＭＭＥからの位置更新要求を待つ必要はない）。したがってＭＳＣ／ＶＬＲは、随意に各ＷＴＲＵのシグナリングされたタイマーにより、任意の時点において、輻輳制御が（ＩＭＳＩまたは任意のその他の識別により一意に識別されうる）ＷＴＲＵまたはＷＴＲＵのサブセットに対して実行されうることをＭＭＥに指示することができき、または事前構成された輻輳制御タイマーがＭＭＥ３１５により使用されてもよい。したがって、ＭＭＥ３１５はそれから、ＮＡＳまたはＲＲＣメッセージのいずれかを介してそのようなインジケーションをＷＴＲＵに転送することができ、またＷＴＲＵがそれらのタイマーに適用できる必要なバックオフタイマー値を転送することもできる。
【００７８】
さらに、ＭＭＥ３１５が、少なくとも１つのＷＴＲＵ３０５に対して、または任意の操作および保守構成またはポリシーに基づいて、輻輳制御を実行するよう通知される場合、ＭＭＥ３１５は、ＮＡＳアップリンクトランスポートメッセージを受信すると、単にメッセージを破棄するべきではないが、新しいまたは既存のＮＡＳメッセージ（たとえば、ＥＰＳモビリティ管理（ＥＭＭ）情報要求）を介してＷＴＲＵ３０５に応答することもでき、ＭＳＣ／ＶＬＲ３２０（または関連付けられているサービスに関する任意のその他のノード）において輻輳があることをＷＴＲＵ３０５に通知し、必要なバックオフタイマー値をＷＴＲＵ３０５に提供することもできる。このタイマー値を受信すると、ＷＴＲＵ３０５は、バックオフタイマー３２５の期間にわたり、任意のＳＭＳ要求、または任意のＣＳサービス（例えば、ＣＳＦＢ）の要求を送信してはならない。さらに、ＷＴＲＵ３０５は、サービスが緊急コールである場合を除き、任意のＣＳサービスを要求するためにＣＳドメインへ自発的に再選択してはならない。上記の方法がまた、ＧＳインターフェイスおよびＵＴＲＡＮに使用されうる任意の等価のメッセージを介して、ＳＧＳＮおよびＭＳＣ／ＶＬＲ３２０に適用されてもよいことに留意されたい（たとえば、グローバルメディアモビリティ（ＧＭＭ：global media mobility）情報メッセージは、ＭＳＣ／ＶＬＲ３２０の輻輳に関して通知するために、ＳＧＳＮからＷＴＲＵ３０５に送信されてもよい）。
【００７９】
ＳＧＳＮまたはＭＳＣ／ＶＬＲ３２０はまた、ＷＴＲＵ３０５がＣＳドメイン内にあるとき、ＭＭＥの任意の輻輳に関してＷＴＲＵ３０５に通知することもできる。ＭＭＥ３１５の輻輳に関するＳＧＳＮまたはＭＳＣ／ＶＬＲ３２０における認識は、実装に固有であってもよい。あるいは、ＭＭＥ３１５は、適切なインターフェイス（たとえば、ＭＭＥ３１５とＭＳＣ／ＶＬＲ３２０との間の通信のためのＳＧインターフェイス３３８）を介して、ＭＭＥ３１５における輻輳に関してＳＧＳＮおよび／またはＭＳＣ／ＶＬＲ３２０に通知することができる。このインジケーションは、すべてのＷＴＲＵがＥＭＭ固有のバックオフタイマーを提供されるような一般的なインジケーションであってもよく、またはインジケーションは、ＳＧＳＮおよび／またはＭＳＣ／ＶＬＲ３２０により、後に関連するバックオフタイマー値を提供されうる少なくとも１つのＷＴＲＵ３０５のセットのためのものであってもよい。ＭＭＥ３１５はまた、必要なバックオフタイマー値をＷＴＲＵ３０５に指示することもできる。
【００８０】
そのようなバックオフタイマー値を受信すると、ＷＴＲＵ３０５は、ＰＳドメインへの再選択を回避することができる、または、ＷＴＲＵ３０５がＰＳドメインへ再選択する場合、ＷＴＲＵ３０５はいかなるＭＯシグナリング、またはデータ要求も開始してはならない。
【００８１】
特定のＮＡＳメッセージが正しく処理されたかどうかを知る目的で、以下の方法が使用されてもよい。方法において、ＵＬ−ＮＡＳトランスポートメッセージ毎、ＤＬトランスポートＮＡＳメッセージ毎、汎用ＵＬ−ＮＡＳトランスポートメッセージ毎、または汎用ＤＬ−ＮＡＳトランスポートメッセージ毎に、受信側からの応答メッセージを有することができる。現在、受信側ノードは、たとえばＭＭＥ３１５がＵＬ−ＮＡＳトランスポートメッセージを受信するときに、ＮＡＳメッセージ（例えば、ＳＭＳ）の内容に応じて、適切なノード（例えば、ＭＳＣ／ＶＬＲ３２０）に内容を転送するだけである。あるいは、ＭＭＥ３１５は、コンテンツが転送されるべきノードに問題がある場合、メッセージを破棄することができる。この動作に関して、ＷＴＲＵ３０５はメッセージが破棄されたことを知らない場合があり、またＷＴＲＵ３０５のＳＭＳエンティティは、ＳＭＳの再送信をトリガすることができ、ＭＭＥ３１５はメッセージを破棄することができる。前述のメッセージは、メッセージを送信したノードに対する応答を有することができる。その応答はいつ送信されてもよく、新しいＮＡＳメッセージの形態であってもよく、または既存のメッセージが使用されてもよい。いずれの場合においても、原因コードは、受信側ノードにおける処理の成功または失敗を指示するために使用されてもよい。たとえば、ＷＴＲＵ３０５がＵＬ−ＮＡＳ−ＴＲＡＮＳＰＯＲＴメッセージを介してＳＭＳを送信する場合、ＭＭＥ３１５は、たとえば「メッセージは正しく処理された」または「ＳＧインターフェイスがダウンしている」などの結果を指示するために別のメッセージにより応答することができる。これらは例であり、結果または処理結果、および受信側（この例ではＭＭＥ３１５）により使用されうる原因コードを限定するものではない。
【００８２】
あるいは、応答は、受信側ノードにおける処理に障害がある場合に送信されてもよい。
たとえば、ＷＴＲＵ３０５がＭＭＥ３１５からＤＬ−ＮＡＳ−ＴＲＡＮＳＰＰＯＲＴメッセージを受信し、内容がＷＴＲＵ３０５に送信されないようなエラーが発生する場合、ＷＴＲＵ３０５は障害を指示するために応答をＭＭＥ３１５に送信することができる。これはまた、ＵＬ／ＤＬ汎用ＮＡＳトランスポートメッセージにも適用することができ、メッセージの受信側は常に、またはメッセージの処理に失敗すると、別のメッセージ（新しいかまたは既存の）、および障害を指示する原因コードにより送信者に応答することができる。受信側はまた、意図されたアプリケーションに指示することもできる（たとえば、ＭＭＥ３１５はメッセージの失敗に関してＷＴＲＵ３０５に通知する）。
【００８３】
同じ方法は、ＭＭＥ３１５およびＭＳＣ／ＶＬＲ３２０のようなノードに適用することができる、すなわち、そのような応答は受信したメッセージの処理が成功したか否かを送信者に指示するために使用されてもよい。たとえば、ＭＭＥ３１５が、ＳＧインターフェイス３３８上でＭＳＣ／ＶＬＲ３２０により送信されたＳＭＳメッセージの転送に失敗する場合、ＭＭＥ３１５は、このことを新しいＳＧメッセージ、既存のメッセージ、および適切な原因のいずれかとともにＭＳＣ／ＶＬＲ３２０に指示することができる。同様の方法は、ＭＳＣ／ＶＬＲ３２０とＳＧＳＮ、またはＳＧＳＮとＭＭＥ３１５、または任意の組み合わせの間の任意の対話に適用することができる。
【００８４】
あるいは、応答は、オペレータ構成に従って送信されてもよい（たとえば、障害がある場合、輻輳がある場合、または任意の組み合わせ）。たとえば、ＭＭＥ３１５はまた、たとえばＭＳＣ／ＶＬＲ３２０における輻輳など、ＷＴＲＵ３０５からのＵＬ−ＮＡＳ−ＴＲＡＮＳＰＯＲＴメッセージを処理しない理由を説明するために、原因コードを含むこともできる。さらに、ＭＭＥ３１５は、バックオフタイマー値をＷＴＲＵ３０５に提供することができ、その間にＷＴＲＵ３０５はＳＭＳ要求（すなわち、ＵＬ−ＮＡＳ−ＴＲＡＮＳＰＯＲＴメッセージ）、および／または任意のＣＳＦＢ要求を送信してはならない。
【００８５】
上記で提案される応答メッセージに対して、受信側ノードは、セキュリティ検査が失敗する場合（たとえば、保全性検査が失敗する場合）、応答（またはレポートメッセージ）を破棄することができる。たとえば、ＷＴＲＵ３０５は、セキュリティ検査、たとえば保全性検査がＷＴＲＵ３０５において失敗する場合、ＭＭＥ３１５からの応答（ＵＬ−ＮＡＳ−ＴＲＡＮＳＰＯＲＴメッセージへの）を破棄することができる。したがって、ＷＴＲＵ３０５は、拒否を受信し、セキュリティ検査が成功するまで、別のＳＭＳ（またはその他の任意のＣＳサービス関連の要求）を送信することができる。
【００８６】
ＭＭＥ３１５は、ＭＭＥ３１５が輻輳していること、およびＭＳＣ／ＶＬＲ３２０が輻輳制御を開始できることをＭＳＣ／ＶＬＲ３２０に指示することができる。このインジケーションは、１つまたは複数のＷＴＲＵ３０５に対するものであってもよく、結合型登録されるすべてのＷＴＲＵに対して、ＭＭＥ３１５により開始されてもよい。あるいは、ＭＭＥ３１５は、ＣＳＦＢのためにＷＴＲＵ３０５をページングするＭＳＣ／ＶＬＲ３２０からの要求があると、またはＭＳＣ／ＶＬＲ３２０がＷＴＲＵ３０５に対するＳＭＳメッセージを送信するときに、またはＭＳＣ／ＶＬＲ３２０がＭＭＥ３１５による任意のＳＧプロシージャを開始するときに、このインジケーションを送信することができる。ＭＭＥ３１５は、バックオフタイマー値をＭＳＣ／ＶＬＲ３２０に提供することができ、その間にＭＳＣ／ＶＬＲ３２０は、少なくとも１つのＷＴＲＵ３０５について、ＭＭＥ３１５に向けていかなるメッセージも転送してはならないか、またはＭＭＥ３１５に向けていかなるＳＧプロシージャも開始してはならない。これらの方法は、もう一方の命令に適用することができる、すなわち、輻輳に関して通知される場合、ＭＭＥ３１５は、少なくとも１つのＷＴＲＵ３０５について、ＭＳＣ／ＶＬＲ３２０に向けていかなるＳＧプロシージャも開始してはならない。同様の方法はまた、ＭＭＥ３１５とＳＧＳＮ、またはＭＳＣ／ＶＬＲ３２０とＳＧＳＮ、または任意の組み合わせに対して適用される。
【００８７】
ＭＭＥ３１５がＷＴＲＵ３０５にＭＭ（または等価物）、一例としてＵＬ−ＮＡＳ−ＴＲＡＮＳＰＯＲＴメッセージ（または応答を有するよう提案されるその他のメッセージ）への応答を介して、バックオフタイマー値を提供している場合、ＭＭＥ３１５はまた、ＭＭＥ３１５における一般的ＮＡＳ輻輳、ＡＰＮ輻輳、ＳＧＳＮ、およびＭＳＣ／ＶＬＲ３２０の輻輳などに対するバックオフタイマー値を含むこともできる。したがって、任意のコアネットワーク（ＣＮ）ノードは、ＮＡＳまたはＲＲＣメッセージングを使用して、同時に、その他のＣＮノードの複数セットに関する輻輳関連情報を常に提供することができる。たとえば、ＭＭＥ３１５は、ＭＳＣ／ＶＬＲ３２０輻輳により破棄されたＵＬ−ＮＡＳ−ＴＲＡＮＳＰＯＲＴメッセージに応答して、ＥＭＭ情報要求メッセージを使用することができる。このメッセージにおいて、ＭＭＥ３１５は、たとえば輻輳しているノード、バックオフタイマー値など、一般的な輻輳制御情報をＷＴＲＵ３０５に提供することができる。
【００８８】
説明されている方法またはルールの例外は、ＰＬＭＮの変更、ＷＴＲＵ３０５、ＭＭＥ３１５、ＭＳＣ／ＶＬＲ３２０、およびＳＧＳＮにおける設定の変更、トラッキングエリア識別情報（ＴＡＩ：tracking area identity）、ルーティングエリア識別情報（ＲＡＩ：routing area identity）、ロケーションエリア識別情報（ＬＡＩ：rocation area identity）などの変更であってもよい。方法はまた、ＷＴＲＵがローミングされうるときにも適用することができる。あるいは、移動先ＰＬＭＮ（ＶＰＬＭＮ）は、このＷＴＲＵからの要求を処理する方法に関する情報（たとえば、輻輳を適用するかどうかなど）をホームＰＬＭＮ（ＨＰＬＭＮ）に要求することができ、または、たとえば輻輳制御が少なくとも１つのＷＴＲＵ３０５に適用されるべきかどうかを決定するために、自身のポリシーを使用することができる。
【００８９】
図５は、第４の実施形態に従って実行されるＣＳＦＢコール確立プロシージャのシグナルフロー図であり、ＣＳドメインへのアクセスが輻輳またはオペレータポリシーの実施により一時的に制限されている。図５に示されるように、ＷＴＲＵ５０５は、Ｅ−ＵＴＲＡＮ１１５、ＭＭＥ５２０、およびＭＳＣ／ＶＬＲ５２５を含むネットワーク５１０と通信する。ＷＴＲＵ５０５は、少なくとも１つのタイマー５３０を含むことができる。アタッチメッセージまたはＴＡＵメッセージの送信後に、ＷＴＲＵ５０５がＰＳおよびＣＳドメインの両方に登録されるときに、ＷＴＲＵ５０５は結合型ＥＰＳ／ＩＭＳＩアタッチドである（５３５）。ＷＴＲＵ５０５は、ＭＯ−ＣＳＦＢ−ＥＳＲメッセージをＭＭＥ５２０に送信する（５４０）ことにより、ＣＳＦＢ要求プロシージャを開始することができる。ＣＳドメインへのアクセスが一時的に制限されているため、ＭＭＥ５２０は、原因値（たとえば、＃３９）を使用して、サービス拒否メッセージ（５４５）でタイマー値により定義されるように、ＣＳドメインが所定の期間にわたり一時的に使用不可能であることを指示するために、サービス拒否メッセージ（５４５）をＷＴＲＵ５０５に送信することができる。ＷＴＲＵ５０５のタイマー５３０（すなわち、Ｔ３４４２）は、サービス拒否メッセージに含まれているタイマー値に基づいて設定され、アクティブ化されてもよい（５５０）。ＷＴＲＵ５０５は、ＭＴ  ＣＳＦＢ緊急コールの場合を除き、タイマーが満了するまで、ＭＯサービスに対するＥＳＲメッセージをネットワーク５１０に送信してはならない（５５５）。
【００９０】
図６は、図３乃至図５のプロシージャに準じて構成されたＷＴＲＵ６００を示すブロック図である。ＷＴＲＵ６００は、少なくとも１つのアンテナ６０５、受信機６１０、プロセッサ６１５、送信機６２０、および少なくとも１つのタイマー６２５を含むことができる。受信機６１０は、アンテナ６０５を介して、タイマー値を含むサービス拒否メッセージを受信するように構成されてもよい。プロセッサ６１５は、タイマー値に基づいてタイマー６２５を設定し、タイマー６２５をアクティブ化するように構成されてもよい。プロセッサ６１５は、緊急コールのためのＭＯ−ＣＳフォールバックの場合を除き、タイマー６２５が満了するまで、ＭＯサービスを要求するためにＥＳＲメッセージをネットワークに送信することを試みないようにさらに構成されてもよい。受信機６１０は、アンテナ６０５を介して、ＭＴ  ＣＳコールのページングを受信するようにさらに構成されてもよい。プロセッサ６１５は、受信機６１０がページングを受信するのに応答して、タイマー６２５を非アクティブ化するようにさらに構成されてもよい。送信機６２０は、ＭＯ−ＣＳフォールバックコールのためにＥＳＲメッセージを送信するようにさらに構成されてもよい。送信機６２０がＥＳＲメッセージを送信するのに応答して、サービス拒否メッセージは受信機６１０により受信されてもよい。送信機６２０は、プロセッサ６１５がタイマー６２５を非アクティブ化するのに応答して、アンテナ６０５を介して、ＭＯ−ＣＳフォールバックコールのためのＥＳＲメッセージを送信するように構成されてもよい。受信機６１０は、アンテナ６０５を介して、リダイレクションおよびハンドオーバー情報のうちの少なくとも１つを受信するように構成されてもよい。
【００９１】
図７は、図３乃至図５のプロシージャに準じて構成されたＭＭＥ７００を示すブロック図である。ＭＭＥ７００は、少なくとも１つのアンテナ７０５、受信機７１０、プロセッサ７１５、送信機７２０、および少なくとも１つのタイマー７２５を含むことができる。受信機７１０は、アンテナ７０５を介して、タイマー値を含む輻輳インジケーションメッセージを受信するように構成されてもよい。プロセッサ７１５は、タイマーをタイマー値に設定し、タイマー７２５をアクティブ化し、タイマー７２５がアクティブ状態にある間に、輻輳制御基準を適用して、タイマー７２５が満了すると輻輳制御基準の適用を停止するように構成されてもよい。送信機７２０は、輻輳制御基準が適用されている間、受信したＣＳサービス要求に応答してサービス拒否メッセージを、アンテナ７０５を介して送信するように構成されてもよい。
【００９２】
図８は、図３乃至図５のプロシージャに準じて構成されたＭＳＣ／ＶＬＲ８００を示すブロック図である。ＭＳＣ／ＶＬＲ８００は、少なくとも１つのアンテナ８０５、受信機８１０、プロセッサ８１５、送信機８２０、および少なくとも１つのタイマー８２５を含むことができる。送信機８２０は、アンテナ８０５を介して、タイマー値を含む輻輳インジケーションメッセージを送信するように構成されてもよい。プロセッサ８１５は、タイマー８２５をタイマー値に設定し、タイマー８２５をアクティブ化し、受信機８１０がアンテナ８０５を介して輻輳インジケーションＡＣＫを受信するのを待ち、輻輳インジケーションＡＣＫが受信されることを条件に、タイマー８２５を非アクティブ化して、輻輳インジケーションＡＣＫが受信機８１０により受信される前に、タイマー８２５が満了することを条件に、輻輳インジケーションメッセージをアンテナ８０５を介して再送信するために送信機８２０を制御するように構成されてもよい。
【００９３】
実施形態
１．  輻輳したネットワークにおいてサービス要求メッセージを送信するための方法であって、
タイマー値を含むメッセージを受信するステップと、
タイマー値に基づいて無線送信／受信ユニット（ＷＴＲＵ）においてタイマーを設定するステップと、
タイマーをアクティブ化するステップとを備え、ＷＴＲＵは、モバイル発信（ＭＯ）緊急コールの場合を除き、タイマーが満了するまで、ＭＯサービスのためにサービス要求メッセージをネットワークへ送信することを試みないように構成されることを特徴とする方法。
２．  タイマー値を含むメッセージは、アタッチ承認メッセージ、トラッキングエリア更新（ＴＡＵ）メッセージ、またはサービス拒否メッセージのうちの１つであることを特徴とする実施形態１に記載の方法。
３．  ＭＯ緊急コールは緊急コールのためのＭＯ回線交換（ＣＳ）フォールバックであり、サービス要求はＣＳサービス要求であることを特徴とする実施形態１または２のいずれか一項に記載の方法。
４．  輻輳したネットワークにおいてサービス要求メッセージを送信するための方法であって、
タイマー値を含むメッセージを受信するステップと、
タイマー値に基づいて無線送信／受信ユニット（ＷＴＲＵ）においてタイマーを設定するステップと、
タイマーをアクティブ化するステップとを備え、ＷＴＲＵは、モバイル発信（ＭＯ）緊急コールの場合を除き、タイマーがアクティブ化されている限り、ＭＯコールのためのサービスを要求することが制約されることを特徴とする方法。
５．  タイマー値を含むメッセージは、アタッチ承認メッセージ、トラッキングエリア更新（ＴＡＵ）メッセージ、またはサービス拒否メッセージのうちの１つであることを特徴とする実施形態４に記載の方法。
６．  輻輳したネットワークにおいてサービス要求メッセージを送信するための方法であって、
タイマー値を含むメッセージを受信するステップと、
タイマー値に基づいて無線送信／受信ユニット（ＷＴＲＵ）においてタイマーを設定するステップと、
タイマーをアクティブ化するステップと、
モバイル着信（ＭＴ）コールのためのページングを受信するステップと、
ページングに応答してタイマーを非アクティブ化するステップとを備えることを特徴とする方法。
７．  タイマー値を含むメッセージは、モバイル発信（ＭＯ）回線交換（ＣＳ）フォールバックコールのためのサービス要求メッセージを送信することに応答して、受信されることを特徴とする実施形態６に記載の方法。
８．  タイマーを非アクティブ化することに応答して、ＭＴ−ＣＳフォールバックコールのためのサービス要求メッセージを送信するステップと、
リダイレクション情報およびハンドオーバー情報のうちの少なくとも１つを受信するステップとをさらに備えることを特徴とする実施形態６または７のうちのいずれか一に記載の方法。
９．  タイマー値を含むメッセージは、アタッチ承認メッセージ、トラッキングエリア更新（ＴＡＵ）メッセージ、またはサービス拒否メッセージのうちの１つであることを特徴とする実施形態６乃至８のうちのいずれか一に記載の方法。
１０．  輻輳したネットワークにおいて回線交換（ＣＳ）サービス要求メッセージを送信するための方法であって、
パケット交換（ＰＳ）ドメインおよびＣＳドメインにおいて登録する結合型アタッチプロシージャを開始するステップと、
タイマー値を受信するステップと、
タイマー値に基づいて無線送信／受信ユニット（ＷＴＲＵ）においてタイマーを設定するステップと、
タイマーをアクティブ化するステップとを備え、ＷＴＲＵは、ＣＳ緊急コールのための要求を送信する場合、またはタイマーが満了する場合を除き、別の結合型アタッチプロシージャを開始することが制約されることを特徴とする方法。
１１．  輻輳したネットワークにおいてサービス要求メッセージを送信するための、モビリティ管理エンティティ（ＭＭＥ）で実施される方法であって、
輻輳インジケーションメッセージを受信するステップと、
輻輳インジケーションメッセージに含まれるタイマー値に設定されたタイマーをアクティブ化するステップと、
タイマーがアクティブ化されている間、輻輳制御基準を適用するステップと、
タイマーが満了すると輻輳制御基準の適用を停止するステップとを備えることを特徴とする方法。
１２．  輻輳インジケーションメッセージは、移動通信交換局（ＭＳＣ）／ＶＬＲ（visitor location register）から受信されることを特徴とする実施形態１１に記載の方法。
１３．  輻輳制御基準が適用されている間、受信した任意の回線交換（ＣＳ）サービス要求に応答して、サービス拒否メッセージを送信するステップをさらに備えることを特徴とする実施形態１１または１２のうちのいずれか一に記載の方法。
１４．  輻輳したネットワークにおいてサービス要求メッセージを送信するための、移動通信交換局（ＭＳＣ）／ＶＬＲ（visitor location register）で実施される方法であって、
タイマー値を含む輻輳インジケーションメッセージを送信するステップと、
タイマーをタイマー値に設定するステップと、
タイマーをアクティブ化するステップと、
輻輳インジケーション肯定応答（ＡＣＫ）メッセージが受信されることを条件に、タイマーを非アクティブ化するステップと、
輻輳インジケーションＡＣＫの受信よりも前にタイマーが満了することを条件に、輻輳インジケーションメッセージを再送信するステップとを備えることを特徴とする方法。
１５．  タイマーと、
タイマー値を含むメッセージを受信するように構成された受信機と、
タイマー値に基づいてタイマーを設定して、タイマーをアクティブ化するように構成されたプロセッサであって、モバイル発信（ＭＯ）緊急コールの場合を除き、タイマーが満了するまで、ＭＯサービスのためのサービス要求メッセージをネットワークへ送信することを試みないようにさらに構成されるプロセッサとを備えることを特徴とする無線送信／受信ユニット（ＷＴＲＵ）。
１６．  タイマー値を含むメッセージは、アタッチ承認メッセージ、トラッキングエリア更新（ＴＡＵ）メッセージ、またはトラッキングエリア更新（ＴＡＵ）メッセージのうちの１つであることを特徴とする実施形態１５に記載のＷＴＲＵ。
１７．  タイマーと、
タイマー値を含むメッセージを受信するように構成された受信機と、
タイマー値に基づいてタイマーを設定して、タイマーをアクティブ化するように構成されたプロセッサとを備える無線送信／受信ユニット（ＷＴＲＵ）であって、ＷＴＲＵは、モバイル発信（ＭＯ）緊急コールの場合を除き、タイマーがアクティブ化されている限り、ＭＯコールのサービスを要求することが制約されることを特徴とするＷＴＲＵ。
１８．  タイマー値を含むメッセージは、アタッチ承認メッセージ、トラッキングエリア更新（ＴＡＵ）メッセージ、またはトラッキングエリア更新（ＴＡＵ）メッセージのうちの１つであることを特徴とする実施形態１７に記載のＷＴＲＵ。
１９．  タイマーと、
タイマー値に基づいてタイマーを設定して、タイマーをアクティブ化するように構成されたプロセッサと、
タイマー値を含むメッセージ、およびモバイル着信（ＭＴ）コールのためのページングを受信するように構成された受信機とを備える無線送信／受信ユニット（ＷＴＲＵ）であって、プロセッサは、受信機がページングを受信するのに応答して、タイマーを非アクティブ化するようにさらに構成されることを特徴とするＷＴＲＵ。
２０．  モバイル発信（ＭＯ）回線交換（ＣＳ）フォールバックコールのためのサービス要求メッセージを送信するように構成された送信機をさらに備え、タイマー値を含むメッセージは、送信機がサービス要求メッセージを送信することに応答して、受信機により受信されることを特徴とする実施形態１９に記載のＷＴＲＵ。
２１．  プロセッサがタイマーを非アクティブ化することに応答して、ＭＴ−ＣＳフォールバックコールのためのサービス要求メッセージを送信するように構成された送信機と、
リダイレクション情報およびハンドオーバー情報のうちの少なくとも１つを受信するように構成された受信機とをさらに備えることを特徴とする実施形態２０に記載のＷＴＲＵ。
【００９４】
特徴および要素は、特定の組み合わせで上記で説明されるが、各々の特徴または要素は、単独で使用されるか、または他の特徴および要素の任意の組み合わせで使用されてもよいことが、当業者であれば理解されるであろう。加えて、本明細書において説明される方法は、コンピュータまたはプロセッサにより実行するためにコンピュータ可読媒体に組み込まれたコンピュータプログラム、ソフトウェア、またはファームウェアにおいて実施されてもよい。コンピュータ可読媒体の例は、（有線または無線接続を介して伝送される）電子信号およびコンピュータストレージ媒体を含む。コンピュータ可読ストレージ媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、磁気光学媒体、ＣＤ−ＲＯＭディスク、ならびにデジタル多用途ディスク（ＤＶＤ）などの光媒体を含むが、これらに限定されない。ソフトウェアと関連するプロセッサは、ＷＴＲＵ、ＵＥ、端末、基地局、ＲＮＣ、または任意のホストコンピュータにおいて使用する無線周波数送受信機を実施するために使用されてもよい。
【図１Ａ】
0006014098.tif 000002
【図１Ｂ】
0006014098.tif 000003
【図１Ｃ】
0006014098.tif 000004
【図１Ｄ】
0006014098.tif 000005
【図２Ａ】
0006014098.tif 000006
【図２Ｂ】
0006014098.tif 000007
【図２Ｃ】
0006014098.tif 000008
【図３】
0006014098.tif 000009
【図４】
0006014098.tif 000010
【図５】
0006014098.tif 000011
【図６】
0006014098.tif 000012
【図７】
0006014098.tif 000013
【図８】
0006014098.tif 000014